(57)【要約】【課題】入金処理後の確定操作やキャンセル操作が例え忘れられても、その後の入金処理が可能となる紙幣処理機の提供。【解決手段】第１の一時貯留部８１から繰り出された紙幣を一時貯留させる第２の一時貯留部８２を設け、第１の一時貯留部８１に紙幣を一時貯留させている状態で、入金確定操作前かつキャンセル操作前に、操作部２０の所定の未操作状態を検出すると、第１の一時貯留部８１から紙幣を繰り出して第２の一時貯留部８２に入金未確定紙幣として一時貯留させる入金未確定貯留処理を行う。【選択図】図５
2015153171.tif 000002
【特許請求の範囲】
【請求項１】
操作入力を受け付ける操作部と、
機外から紙幣が投入される入金部と、
前記操作部への入金処理操作に基づいて前記入金部から繰り出される紙幣を搬送する入金搬送部と、
該入金搬送部によって搬送される紙幣を識別する識別部と、
該識別部によって受け入れ可能と識別された紙幣を一時貯留させる第１の一時貯留部と、
前記識別部によって受け入れ不可と識別された紙幣を機外へ取り出し可能に排出するリジェクト部と、
前記操作部への入金確定操作に基づいて前記第１の一時貯留部から繰り出される紙幣を収納する収納部と、
前記操作部へのキャンセル操作に基づいて前記第１の一時貯留部から繰り出される紙幣を機外へ取り出し可能に返却する返却部と、
を有する紙幣処理機において、
前記第１の一時貯留部から繰り出される紙幣を一時貯留させる第２の一時貯留部と、
前記操作部の所定の未操作状態の有無を検出する未操作状態検出手段と、
前記第１の一時貯留部に紙幣を一時貯留させている状態で前記入金確定操作前かつ前記キャンセル操作前に前記未操作状態検出手段が前記未操作状態有りを検出すると、前記第１の一時貯留部から紙幣を繰り出して前記第２の一時貯留部に入金未確定紙幣として一時貯留させる入金未確定貯留処理を行う制御部と、
を有することを特徴とする紙幣処理機。
【請求項２】
前記制御部は、前記入金未確定貯留処理において、前記リジェクト部からも紙幣を繰り出して前記第２の一時貯留部に入金未確定紙幣として一時貯留させることを特徴とする請求項１記載の紙幣処理機。
【請求項３】
前記制御部は、前記操作部に入金未確定紙幣の返却処理操作が入力されると、前記第２の一時貯留部に一時貯留させている入金未確定紙幣を繰り出して前記リジェクト部または前記返却部へ搬送することを特徴とする請求項１または２記載の紙幣処理機。
【請求項４】
前記第２の一時貯留部から前記リジェクト部または前記返却部へ入金未確定紙幣を搬送する際に前記識別部での入金未確定紙幣の金種識別を行わないことを特徴とする請求項３記載の紙幣処理機。
【請求項５】
前記第２の一時貯留部は、複数回の入金処理の入金未確定紙幣を入金処理毎に分類して一時貯留可能であり、
前記制御部は、前記操作部に入金処理関連の識別情報と入金未確定紙幣の返却処理操作とが入力されると、前記第２の一時貯留部に一時貯留させていて当該識別情報の入金未確定紙幣よりも前に前記第２の一時貯留部から繰り出される他の識別情報の入金未確定紙幣を前記第１の一時貯留部に貯留させるとともに、当該識別情報の入金未確定紙幣を前記リジェクト部または前記返却部へ搬送し、その後、前記第１の一時貯留部の入金未確定紙幣を前記第２の一時貯留部に戻すことを特徴とする請求項３または４記載の紙幣処理機。
【請求項６】
前記制御部は、前記操作部に入金未確定紙幣の返却処理操作が入力され、前記第２の一時貯留部に一時貯留させている入金未確定紙幣を繰り出して前記リジェクト部または前記返却部からなる搬送先へ搬送した後、該搬送先から紙幣が取り出されずに前記未操作状態検出手段が前記未操作状態有りを検出すると、前記搬送先から紙幣を繰り出して前記第２の一時貯留部に戻すことを特徴とする請求項３から５のいずれか一項記載の紙幣処理機。
【請求項７】
前記制御部は、前記操作部に入金未確定紙幣の返却処理操作が入力されると、前記第２の一時貯留部に一時貯留させている入金未確定紙幣を繰り出して前記第１の一時貯留部へ搬送し、該第１の一時貯留部を取り外し可能とすることを特徴とする請求項１または２記載の紙幣処理機。
【請求項８】
前記制御部は、前記操作部に入金未確定紙幣の再入金処理操作が入力されると、前記第２の一時貯留部に一時貯留させている入金未確定紙幣を繰り出し前記識別部で識別して、該識別部によって受け入れ可能と識別された紙幣を前記第１の一時貯留部に搬送し、前記識別部によって受け入れ不可と識別された紙幣を前記リジェクト部に搬送することを特徴とする請求項１から７のいずれか一項記載の紙幣処理機。
【請求項９】
前記第２の一時貯留部は、一枚ずつ分離して搬送されてきた紙幣を一方向に回転するドラムにテープとともに順次巻き付けて一時貯留させるとともに、一時貯留させていた紙幣を前記ドラムの逆回転により前記テープとともにドラムから繰り出し前記テープから分離して一枚ずつ送り出すテープ巻取ドラム方式の一時貯留部であることを特徴とする請求項１から８のいずれか一項記載の紙幣処理機。
【請求項１０】
顧客により使用される顧客側装置部と係員により使用される係員側装置部とが一台に設けられたものであり、
前記操作部、前記入金部、前記識別部、前記第１の一時貯留部、前記リジェクト部、前記返却部および前記第２の一時貯留部は、前記顧客側装置部の専用であり、
前記収納部は、前記顧客側装置部と前記係員側装置部とで共用であることを特徴とする請求項１から９のいずれか一項記載の紙幣処理機。
【請求項１１】
前記返却部を前記リジェクト部が兼ねていることを特徴とする請求項１から１０のいずれか一項記載の紙幣処理機。
【発明の詳細な説明】
【技術分野】
【０００１】
本発明は、紙幣の少なくとも入金が可能な紙幣処理機に関するものである。
【背景技術】
【０００２】
顧客が行き来可能なスペースと、顧客の立ち入りが制限され基本的に係員のみが行き来可能なスペースとの両方に臨んで一台の貨幣処理機を設け、この貨幣処理機を両面操作可能として客と係員とで共用するものがある。この貨幣処理機においては、顧客は入金処理のみが行えることになり、係員は入金処理および出金処理等が行えるようになっている（例えば、特許文献１参照）。
【先行技術文献】
【特許文献】
【０００３】
【特許文献１】特開２００９−１４６２７４号公報
【発明の概要】
【発明が解決しようとする課題】
【０００４】
ところで、紙幣処理機においては、入金処理を行うと、その後、確定操作あるいはキャンセル操作が入力されることにより、次の入金処理が可能な状態となる。ここで仮に顧客が入金処理後の確定操作やキャンセル操作を行わずに帰ってしまったりすると、紙幣処理機が、取り扱い中止の状態となってしまい、次の顧客が利用不可となる事態を招く。その際には、係員がその顧客に代わって入金紙幣を紙幣処理機から取り出す等の処理を行う対応が必要となる。また、取り出した紙幣を、確定操作やキャンセル操作を忘れた顧客へ返却するまで別途保管しておく必要があり、手間であり、また管理上の問題も生じてしまう。また、このような事態になると、係員が気付いて対応が終了するまでは、紙幣処理機が利用不可となってしまうため、紙幣処理機の利用効率が下がってしまうという問題がある。
【０００５】
本発明は、入金処理後の確定操作やキャンセル操作が例え忘れられても、その後の入金処理が可能となる紙幣処理機の提供を目的とする。
【課題を解決するための手段】
【０００６】
上記目的を達成するために、請求項１に係る発明は、操作入力を受け付ける操作部と、機外から紙幣が投入される入金部と、前記操作部への入金処理操作に基づいて前記入金部から繰り出される紙幣を搬送する入金搬送部と、該入金搬送部によって搬送される紙幣を識別する識別部と、該識別部によって受け入れ可能と識別された紙幣を一時貯留させる第１の一時貯留部と、前記識別部によって受け入れ不可と識別された紙幣を機外へ取り出し可能に排出するリジェクト部と、前記操作部への入金確定操作に基づいて前記第１の一時貯留部から繰り出される紙幣を収納する収納部と、前記操作部へのキャンセル操作に基づいて前記第１の一時貯留部から繰り出される紙幣を機外へ取り出し可能に返却する返却部と、を有する紙幣処理機において、前記第１の一時貯留部から繰り出される紙幣を一時貯留させる第２の一時貯留部と、前記操作部の所定の未操作状態の有無を検出する未操作状態検出手段と、前記第１の一時貯留部に紙幣を一時貯留させている状態で前記入金確定操作前かつ前記キャンセル操作前に前記未操作状態検出手段が前記未操作状態有りを検出すると、前記第１の一時貯留部から紙幣を繰り出して前記第２の一時貯留部に入金未確定紙幣として一時貯留させる入金未確定貯留処理を行う制御部と、を有することを特徴とする。
【０００７】
請求項２に係る発明は、請求項１に係る発明において、前記制御部は、前記入金未確定貯留処理において、前記リジェクト部からも紙幣を繰り出して前記第２の一時貯留部に入金未確定紙幣として一時貯留させることを特徴とする。
【０００８】
請求項３に係る発明は、請求項１または２に係る発明において、前記制御部は、前記操作部に入金未確定紙幣の返却処理操作が入力されると、前記第２の一時貯留部に一時貯留させている入金未確定紙幣を繰り出して前記リジェクト部または前記返却部へ搬送することを特徴とする。
【０００９】
請求項４に係る発明は、請求項３に係る発明において、前記第２の一時貯留部から前記リジェクト部または前記返却部へ入金未確定紙幣を搬送する際に前記識別部での入金未確定紙幣の金種識別を行わないことを特徴とする。
【００１０】
請求項５に係る発明は、請求項３または４に係る発明において、前記第２の一時貯留部は、複数回の入金処理の入金未確定紙幣を入金処理毎に分類して一時貯留可能であり、前記制御部は、前記操作部に入金処理関連の識別情報と入金未確定紙幣の返却処理操作とが入力されると、前記第２の一時貯留部に一時貯留させていて当該識別情報の入金未確定紙幣よりも前に前記第２の一時貯留部から繰り出される他の識別情報の入金未確定紙幣を前記第１の一時貯留部に貯留させるとともに、当該識別情報の入金未確定紙幣を前記リジェクト部または前記返却部へ搬送し、その後、前記第１の一時貯留部の入金未確定紙幣を前記第２の一時貯留部に戻すことを特徴とする。
【００１１】
請求項６に係る発明は、請求項３から５のいずれか一項に係る発明において、前記制御部は、前記操作部に入金未確定紙幣の返却処理操作が入力され、前記第２の一時貯留部に一時貯留させている入金未確定紙幣を繰り出して前記リジェクト部または前記返却部からなる搬送先へ搬送した後、該搬送先から紙幣が取り出されずに前記未操作状態検出手段が前記未操作状態有りを検出すると、前記搬送先から紙幣を繰り出して前記第２の一時貯留部に戻すことを特徴とする。
【００１２】
請求項７に係る発明は、請求項１または２に係る発明において、前記制御部は、前記操作部に入金未確定紙幣の返却処理操作が入力されると、前記第２の一時貯留部に一時貯留させている入金未確定紙幣を繰り出して前記第１の一時貯留部へ搬送し、該第１の一時貯留部を取り外し可能とすることを特徴とする。
【００１３】
請求項８に係る発明は、請求項１から７のいずれか一項に係る発明において、前記制御部は、前記操作部に入金未確定紙幣の再入金処理操作が入力されると、前記第２の一時貯留部に一時貯留させている入金未確定紙幣を繰り出し前記識別部で識別して、該識別部によって受け入れ可能と識別された紙幣を前記第１の一時貯留部に搬送し、前記識別部によって受け入れ不可と識別された紙幣を前記リジェクト部に搬送することを特徴とする。
【００１４】
請求項９に係る発明は、請求項１から８のいずれか一項に係る発明において、前記第２の一時貯留部は、一枚ずつ分離して搬送されてきた紙幣を一方向に回転するドラムにテープとともに順次巻き付けて一時貯留させるとともに、一時貯留させていた紙幣を前記ドラムの逆回転により前記テープとともにドラムから繰り出し前記テープから分離して一枚ずつ送り出すテープ巻取ドラム方式の一時貯留部であることを特徴とする。
【００１５】
請求項１０に係る発明は、請求項１から９のいずれか一項に係る発明において、顧客により使用される顧客側装置部と係員により使用される係員側装置部とが一台に設けられたものであり、前記操作部、前記入金部、前記識別部、前記第１の一時貯留部、前記リジェクト部、前記返却部および前記第２の一時貯留部は、前記顧客側装置部の専用であり、前記収納部は、前記顧客側装置部と前記係員側装置部とで共用であることを特徴とする。
【００１６】
請求項１１に係る発明は、請求項１から１０のいずれか一項に係る発明において、前記返却部を前記リジェクト部が兼ねていることを特徴とする。
【発明の効果】
【００１７】
請求項１に係る発明によれば、操作部への入金処理操作に基づいて入金部から繰り出される紙幣を入金搬送部が搬送すると、識別部が紙幣を識別し、その結果、受け入れ可能と識別された紙幣を第１の一時貯留部が一時貯留させる。この状態で、入金確定操作およびキャンセル操作のいずれも忘れられてしまうと、これらのいずれの操作もされない状態のまま、未操作状態検出手段が操作部の所定の未操作状態有りを検出する。すると、制御部は、第１の一時貯留部から紙幣を繰り出して第２の一時貯留部に入金未確定紙幣として一時貯留させる入金未確定貯留処理を行う。このように、第１の一時貯留部から紙幣を第２の一時貯留部に移し替えて一時貯留させることができるため、第１の一時貯留部を空にでき、よって、係員の操作を伴うことなく、次の入金処理が可能になる。したがって、入金処理後の確定操作やキャンセル操作が例え忘れられたとしても、その後の入金処理が可能となる。よって、利用効率の低下を抑制することができる。また、機内に保管することになるため、操作を忘れた顧客へ返却するまで紙幣を係員が保管する手間がなくなり、安全に保管しておくことができる。
【００１８】
請求項２に係る発明によれば、制御部は、入金未確定貯留処理において、リジェクト部からも紙幣を繰り出して第２の一時貯留部に入金未確定紙幣として一時貯留させることになる。よって、受け入れ不可と識別された紙幣がリジェクト部にあっても、これを第２の一時貯留部に移し替えて一時貯留させることができるため、次の入金処理が可能になる。したがって、入金処理後の確定操作やキャンセル操作が例え忘れられたとしても、その後の入金処理が可能となるケースをより増やすことができる。つまり、リジェクト部に紙幣がある場合、そのままでは取り扱い中止の状態にせざるを得ないが、このような場合において、リジェクト部の紙幣を第２の一時貯留部に移し替えて一時貯留させることにより、その後の入金処理が可能となる。
【００１９】
請求項３に係る発明によれば、操作部に入金未確定紙幣の返却処理操作が入力されると、制御部が、第２の一時貯留部に一時貯留させている入金未確定紙幣を繰り出してリジェクト部または返却部へ搬送するため、第２の一時貯留部に一時貯留させている入金未確定紙幣を直接操作者へ返却することができる。よって、係員の対応を不要にでき、係員の対応の手間を省くことができる。
【００２０】
請求項４に係る発明によれば、第２の一時貯留部からリジェクト部または返却部へ入金未確定紙幣を搬送する際に識別部での入金未確定紙幣の金種識別を行わないことにより、省電力化が図れる。
【００２１】
請求項５に係る発明によれば、第２の一時貯留部は、複数回の入金処理の入金未確定紙幣を入金処理毎に分類して一時貯留可能となっており、制御部は、操作部に入金処理関連の識別情報と入金未確定紙幣の返却処理操作とが入力されると、第２の一時貯留部からこの識別情報の入金未確定紙幣よりも前に繰り出される他の識別情報の入金未確定紙幣を第１の一時貯留部に貯留させるとともに、この識別情報の入金未確定紙幣をリジェクト部または返却部へ搬送する。よって、複数回の入金処理において確定操作やキャンセル操作が例え忘れられたとしても、その後の入金処理が可能となる。
【００２２】
請求項６に係る発明によれば、操作部に入金未確定紙幣の返却処理操作が入力され、第２の一時貯留部に一時貯留させている入金未確定紙幣を繰り出してリジェクト部または返却部からなる搬送先へ搬送した後、この搬送先から紙幣が取り出されずに、未操作状態検出手段が未操作状態有りを検出すると、制御部は、この搬送先から紙幣を繰り出して第２の一時貯留部に戻すことになる。よって、返却された入金未確定紙幣の取り忘れが生じた場合でもこの紙幣を第２の一時貯留部に貯留させることになって、その後の入金処理が可能となる。
【００２３】
請求項７に係る発明によれば、操作部に入金未確定紙幣の返却処理操作が入力されると、制御部は、第２の一時貯留部に一時貯留させている入金未確定紙幣を繰り出して第１の一時貯留部へ搬送し、第１の一時貯留部を取り外し可能とするため、係員が顧客の前で機械から紙幣を取り出して顧客に返すこと等が可能となる。
【００２４】
請求項８に係る発明によれば、操作部に入金未確定紙幣の再入金処理操作が入力されると、制御部は、第２の一時貯留部に一時貯留させている入金未確定紙幣を繰り出し識別部で識別して、受け入れ可能と識別された紙幣を第１の一時貯留部に、受け入れ不可と識別された紙幣をリジェクト部に搬送することができる。その後、操作部への入金確定操作に基づいて第１の一時貯留部から紙幣を収納部に収納したり、操作部へのキャンセル操作に基づいて第１の一時貯留部から紙幣を返却部に排出したりできる。よって、再入金処理後の確定処理およびキャンセル処理が可能となる。
【００２５】
請求項９に係る発明によれば、第２の一時貯留部が、テープ巻取ドラム方式であるため、紙幣に斜行や重送があっても良好に一時貯留させることができ、また繰り出すことができる。また、紙幣間に間隔を形成することが容易にできるため、特に、複数回の入金処理の入金未確定紙幣を入金処理毎に分類して一時貯留させることが、第２の一時貯留部を複数設けなくてもできる。よって、低コスト化、省スペース化が図れる。
【００２６】
請求項１０に係る発明によれば、顧客により使用される顧客側装置部と係員により使用される係員側装置部とが一台に設けられたものにおいて、特に操作忘れを生じ易い顧客側の顧客側装置部に効果的に上記構成を適用することができる。また、収納部が、顧客側装置部と係員側装置部とで共用であるため、コストを低減することができる。
【００２７】
請求項１１に係る発明によれば、返却部をリジェクト部が兼ねているため、製造コストを低減することができる。
【図面の簡単な説明】
【００２８】
【図１】本発明の第１実施形態に係る紙幣処理機を概略的に示す側断面図である。
【図２】同側断面図であって、顧客側入金処理のルートを太線で示すものである。
【図３】同側断面図であって、顧客側確定収納処理のルートを太線で示すものである。
【図４】同側断面図であって、顧客側入金返却処理のルートを太線で示すものである。
【図５】同側断面図であって、入金未確定貯留処理のルートを太線で示すものである。
【図６】同側断面図であって、入金未確定返却処理のルートを太線で示すものである。
【図７】同側断面図であって、入金未確定再入金処理のルートを太線で示すものである。
【図８】同側断面図であって、係員側入金処理のルートを太線で示すものである。
【図９】同側断面図であって、係員側確定収納処理のルートを太線で示すものである。
【図１０】同側断面図であって、係員側返却処理のルートを太線で示すものである。
【図１１】同側断面図であって、バラ紙幣出金処理のルートを太線で示すものである。
【図１２】同側断面図であって、束出金処理のルートを太線で示すものである。
【図１３】本発明の第２実施形態に係る紙幣処理機を概略的に示す側断面図であって、第２の顧客側入金返却処理のルートを太線で示すものである。
【図１４】同側断面図であって、第２の入金未確定返却処理のルートを太線で示すものである。
【発明を実施するための形態】
【００２９】
本発明の第１実施形態に係る紙幣処理機を図１〜図１２を参照して以下に説明する。
図１に示す第１実施形態の紙幣処理機１０は、銀行等の金融機関の店舗に設置されるものである。通常、金融機関の店舗は、顧客の立ち入りが制限され係員のみが行き来可能な係員側スペースＳｘと、顧客が行き来可能な顧客側（ロビー側）スペースＳｙとに仕切Ｗで区分けされている。
【００３０】
そして、第１実施形態の紙幣処理機１０は、これら係員側スペースＳｘおよび顧客側スペースＳｙに跨って配置されるもので、係員により使用される係員側装置部１１ｘと、顧客により使用される顧客側装置部１１ｙとが一台に設けられたものとなっている。具体的に、係員側装置部１１ｘは、紙幣の種々の処理と硬貨の種々の処理とが可能な出納機の紙幣取扱部分を構成し、顧客側装置部１１ｙは、紙幣の返却を含む入金処理と硬貨の返却を含む入金処理とのみが可能なロビー側入金機の紙幣取扱部分を構成する。この紙幣処理機１０は、係員側スペースＳｘでは、バラ紙幣の入金処理、バラ紙幣の出金処理および小束紙幣の出金処理等の種々の処理が可能となっており、顧客側スペースＳｙでは、バラ紙幣の返却を含む入金処理のみが可能となっている。
【００３１】
顧客側装置部１１ｙには、顧客側スペースＳｙにいる主として顧客による操作入力を受け付ける顧客側操作部２０（操作部）と、顧客に向けた表示を行う顧客側表示部２１と、顧客側の入金処理時に顧客によって機外からバラ紙幣が投入される顧客側入金部２２（入金部）と、顧客側の入金処理時等に機内に取り込んだ紙幣を顧客に取出可能に排出する顧客側リジェクト部２３（リジェクト部，返却部）とが設けられている。顧客側リジェクト部２３は、例えば入金されたバラ紙幣の中から偽券あるいは汚損券等と判別されたリジェクト紙幣を顧客に取出可能にリジェクトする。
【００３２】
係員側装置部１１ｘには、係員側スペースＳｘにいる係員による操作入力を受け付ける係員側操作部３０と、係員に向けた表示を行う係員側表示部３１と、係員側の入金処理時に係員によって機外からバラ紙幣が投入されるとともに係員側の出金処理時にバラ紙幣を係員に取出可能に出金する係員側バラ紙幣入出部３２と、係員側の出金処理時に係員に対して小束紙幣を出金する小束紙幣出金部３３と、係員側の入金処理時等に機内に取り込んだ紙幣を排出する係員側入金リジェクト部３４と、係員側の出金処理時に出金不可なバラ紙幣等を収納する機内リジェクト部３５と、が設けられている。係員側入金リジェクト部３４は、例えば入金されたバラ紙幣の中から偽券あるいは汚損券等と判別されたリジェクト紙幣を係員に取出可能にリジェクトする。機内リジェクト部３５は、例えば、出金処理時に重送等の紙幣を出金する紙幣からリジェクトする。
【００３３】
上記したように、紙幣処理機１０は、顧客側入金部２２に投入されたバラ紙幣の入金処理と、係員側バラ紙幣入出部３２に投入されたバラ紙幣の入金処理と、係員側バラ紙幣入出部３２を介してのバラ紙幣の出金処理と、小束紙幣出金部３３を介しての小束紙幣の出金処理とを行う。
【００３４】
係員側装置部１１ｘには、係員側を前側とすると、その前面に臨んで、機外からバラ紙幣が投入されるとともに機内から出金用のバラ紙幣が繰り出される上記した係員側バラ紙幣入出部３２が設けられている。係員側バラ紙幣入出部３２は、外部から紙幣が投入され、投入された紙幣を内部に繰り出し可能であるとともに、内部から紙幣が繰り出され、繰り出された紙幣を外部に取り出し可能に払い出すものである。
【００３５】
係員側バラ紙幣入出部３２は、その底部を構成する載置板３２ａが後下がりに傾斜した姿勢で直交方向に昇降可能に設けられている。係員側バラ紙幣入出部３２には、機外から、長辺方向および短辺方向をそれぞれ揃え表裏方向に集積されるとともに長辺方向を左右方向に沿わせた状態で紙幣が投入されることになる。このように投入された紙幣が、載置板３２ａ上に、載置板３２ａに対し直交する方向に集積された状態で載置される。また、係員側バラ紙幣入出部３２には、機内からの紙幣が長辺方向を左右方向に沿わせた姿勢で繰り出されて載置板３２ａ上に集積される。
【００３６】
係員側バラ紙幣入出部３２には、紙幣の集積スペースに対し機外からのアクセスを許容および規制する開閉可能なシャッタ３２ｂと、係員側バラ紙幣入出部３２の紙幣の有無を検知する図示略の紙幣有無検知センサとが設けられている。シャッタ３２ｂは、閉じられた状態が待機状態であり、機外から、係員側バラ紙幣入出部３２に紙幣が投入される際に開かれ、また、機内からの紙幣を係員側バラ紙幣入出部３２が機外に取り出し可能に払い出す際に開かれる。
【００３７】
係員側バラ紙幣入出部３２の上部の後側には、機外から載置板３２ａ上に集積状態で投入されたバラ紙幣を上端のものから一枚ずつ分離し所定の間隔をあけて機内へ繰り出すとともに機内からの紙幣を係員側バラ紙幣入出部３２に繰り出す繰出部３２ｃが設けられている。繰出部３２ｃは、常にシャッタ３２ｂが閉じられた状態で作動するようになっている。なお、紙幣処理機１０内では、紙幣が、常に長辺方向を左右方向に沿わせた姿勢で搬送されることになる。
【００３８】
係員側装置部１１ｘには、係員側バラ紙幣入出部３２の下側に、係員側の前面に臨んで上記した係員側入金リジェクト部３４が設けられている。係員側入金リジェクト部３４は、係員側バラ紙幣入出部３２から内部に繰り出された紙幣のうち受け入れ不可と判定された入金リジェクト紙幣が、機内から繰り出されるものであり、このような入金リジェクト紙幣を集積させて外部に取り出し可能に払い出す。係員側入金リジェクト部３４には、紙幣の集積スペースに対し機外からのアクセスを許容および規制する開閉可能なシャッタ３４ａと、係員側入金リジェクト部３４の紙幣の有無を検知する図示略の紙幣有無検知センサとが設けられている。シャッタ３４ａは、閉じられた状態が待機状態となっている。
【００３９】
係員側装置部１１ｘには、係員側バラ紙幣入出部３２および係員側入金リジェクト部３４の後方に、上記した機内リジェクト部３５が設けられている。機内リジェクト部３５は、出金処理時に出金不可と判定された出金リジェクト紙幣等を集積させて収納する。
【００４０】
係員側装置部１１ｘには、係員側入金リジェクト部３４の後方に、繰出部３２ｃによって係員側バラ紙幣入出部３２から一枚ずつ分離して機内に繰り出される紙幣を識別する係員側識別部４０が設けられている。また、係員側装置部１１ｘには、係員側バラ紙幣入出部３２の後方に、紙幣を整列させながら水平姿勢で鉛直方向に所定の結束枚数集積させる整列部４１が設けられており、この整列部４１の後方には、整列部４１から集積紙幣を水平状態のまま後方に引き出し鉛直上方に上昇搬送する移送部４２が設けられている。
【００４１】
係員側装置部１１ｘには、整列部４１の上方に、移送部４２で上昇搬送され上部位置から水平状態のまま前方に送り出された集積紙幣を結束テープで結束して小束紙幣とする結束部４３が設けられている。この結束部４３は、移送部４２から前方に送り出された集積紙幣を上下から挟持しつつ、結束テープを周囲に巻き回して接着・切断することにより小束紙幣を作成する。
【００４２】
係員側装置部１１ｘには、結束部４３の前方に、結束部４３で結束された後、水平状態のまま前方に送り出された小束紙幣を鉛直状に姿勢変更し前後方向に複数束集積して、機外に取り出し可能とする上記した小束紙幣出金部３３が設けられている。小束紙幣出金部３３には、小束紙幣の集積スペースに対し機外からのアクセスを許容および規制する開閉可能なシャッタ３３ａと、小束紙幣出金部３３の小束紙幣の有無を検知する図示略の小束紙幣有無検知センサとが設けられている。
【００４３】
係員側装置部１１ｘの下部には、奥側から順に、例えば入金された入金確定後のバラ紙幣を上下に集積させた状態で繰り出し可能に収納する紙幣庫４５（収納部）と、同様の紙幣庫４６（収納部）と、同様の紙幣庫４７（収納部）と、同様の紙幣庫４８（収納部）と、例えば入金された入金確定前のバラ紙幣を上下に集積させた状態で繰り出し可能に一時貯留させる紙幣庫４９とが、上下左右の位置を合わせて前後方向に配列されている。
【００４４】
紙幣庫４５は所定の単一の金種（例えば千円券）のバラ紙幣を、紙幣庫４６は所定の単一の金種（例えば五千円券）のバラ紙幣を、紙幣庫４７は所定の単一の金種（例えば万円券）のバラ紙幣を、紙幣庫４８は金種混合のバラ紙幣を、それぞれ収納する。言い換えれば、紙幣処理機１０には、金種別に複数の紙幣庫４５〜４７が設けられている。紙幣庫４９は、例えば係員側バラ紙幣入出部３２から繰り出され係員側識別部４０で正常と識別された入金確定前のバラ紙幣を金種混合で上下に集積させた状態で貯留させる。紙幣庫４８は、単一金種用の紙幣庫４５〜４７では収納しきれないオーバーフロー紙幣および単一金種用の紙幣庫を持たない流通量の少ない所定の金種（例えば二千円券）のバラ紙幣を収納する。
【００４５】
紙幣庫４５には、その底部を構成する水平な載置板４５ａが鉛直方向に昇降可能に設けられており、上部に、載置板４５ａ上に紙幣を一枚ずつ繰り出して上下方向に集積させるとともに載置板４５ａ上の紙幣を上端のものから一枚ずつ分離して繰り出す繰出部４５ｂが設けられている。また、紙幣庫４５には、内部の紙幣の有無を検知する図示略の紙幣有無検知センサが設けられている。紙幣庫４６にも同様の載置板４６ａ、繰出部４６ｂおよび図示略の紙幣有無検知センサが、紙幣庫４７にも同様の載置板４７ａ、繰出部４７ｂおよび図示略の紙幣有無検知センサが、紙幣庫４８にも同様の載置板４８ａ、繰出部４８ｂおよび図示略の紙幣有無検知センサが、紙幣庫４９にも同様の載置板４９ａ、繰出部４９ｂおよび図示略の紙幣有無検知センサが、それぞれ設けられている。
【００４６】
紙幣庫４５〜４９は、繰出部４５ｂ〜繰出部４９ｂの対応するものから一枚ずつ庫内に繰り出された紙幣を、載置板４５ａ〜載置板４９ａの対応するものの上に上下方向に集積させて収納する。ここで、紙幣庫４５〜４７は、紙幣を金種別に収納するとともに、収納している紙幣を一枚ずつ分離して繰り出すものであり、入金された紙幣を収納し収納している紙幣を出金用として繰り出す金種別環流部を構成している。また、紙幣庫４９は、紙幣を一時貯留させるとともに一時貯留させている紙幣を一枚ずつ分離して繰り出す一時貯留部を構成している。係員側識別部４０は、これら紙幣庫４５〜４９から繰り出された紙幣についても識別する。
【００４７】
係員側装置部１１ｘには、紙幣を搬送する紙幣搬送路５１が係員側装置部１１ｘの各部を適宜繋ぐように設けられている。紙幣搬送路５１は、係員側バラ紙幣入出部３２と紙幣庫４９とを繋ぐ搬送路５１Ａを有している。搬送路５１Ａは、係員側を前方とすると、係員側バラ紙幣入出部３２の繰出部３２ｃから後上がりに延出した後、後下がりに延出し、さらに鉛直下方に延出し、その後、前側に一端延出した後、下方に延出する。搬送路５１Ａは、さらに後方に延出し、途中上側に凸状に屈曲した後、後方に延出して係員側識別部４０を通った後、係員側装置部１１ｘの後部で下方に延出し、さらに前方に延出して係員側装置部１１ｘの前部から下方に延出して紙幣庫４９の繰出部４９ｂに繋がっている。
【００４８】
紙幣搬送路５１は、搬送路５１Ａの下部の水平部分の途中から分岐して紙幣庫４５の繰出部４５ｂに繋がる搬送路５１Ｂと、搬送路５１Ａの搬送路５１Ｂよりも紙幣庫４９側から分岐して紙幣庫４６の繰出部４６ｂに繋がる搬送路５１Ｃとを有している。また、紙幣搬送路５１は、搬送路５１Ａの搬送路５１Ｃよりも紙幣庫４９側から分岐して紙幣庫４７の繰出部４７ｂに繋がる搬送路５１Ｄと、搬送路５１Ａの搬送路５１Ｄよりも紙幣庫４９側から分岐して紙幣庫４８の繰出部４８ｂに繋がる搬送路５１Ｅとを有している。さらに、紙幣搬送路５１は、搬送路５１Ａの搬送路５１Ｅよりも紙幣庫４９側の前端部から分岐し上方に延出した後に後方に延出して搬送路５１Ａの係員側バラ紙幣入出部３２と係員側識別部４０との間位置に繋がる搬送路５１Ｆとを有している。
【００４９】
紙幣搬送路５１は、搬送路５１Ａにおける搬送路５１Ｅの分岐位置と搬送路５１Ｆの分岐位置との間位置から分岐し上方に延出して搬送路５１Ｆの途中位置に繋がる搬送路５１Ｇと、搬送路５１Ｆにおける、搬送路５１Ｇの接続位置と、搬送路５１Ａの係員側バラ紙幣入出部３２側への接続位置との間から分岐し上方に延出した後に前方に延出して係員側入金リジェクト部３４に繋がる搬送路５１Ｈとを有している。また、紙幣搬送路５１は、係員側バラ紙幣入出部３２と係員側識別部４０との間の搬送路５１Ａをバイパスする搬送路５１Ｊと、搬送路５１Ａの係員側バラ紙幣入出部３２と搬送路５１Ｊの接続位置との間位置から後方に分岐して整列部４１に繋がる搬送路５１Ｋとを有している。搬送路５１Ｊは、中間部分が紙幣の表裏を反転させる表裏反転部５３の一部を構成している。
【００５０】
紙幣搬送路５１は、搬送路５１Ａの係員側バラ紙幣入出部３２側の搬送路５１Ｆへの接続位置と、搬送路５１Ａの係員側バラ紙幣入出部３２側の搬送路５１Ｊへの接続位置との間から前方に分岐して搬送路５１Ｈに繋がる搬送路５１Ｍを有している。紙幣搬送路５１は、さらに、搬送路５１Ｈの搬送路５１Ｍへの接続位置と係員側入金リジェクト部３４への接続位置との間から上方に分岐して機内リジェクト部３５に繋がる搬送路５１Ｎを有している。
【００５１】
搬送路５１Ａの搬送路５１Ｂが分岐する位置には、搬送路５１Ａを係員側識別部４０側から紙幣庫４９に向けて搬送されている紙幣を、そのまま搬送路５１Ａで搬送するルートと搬送路５１Ｂに流すルートとに振り分ける振分部５５Ｂが設けられている。搬送路５１Ａの搬送路５１Ｃが分岐する位置には、搬送路５１Ａを係員側識別部４０側から紙幣庫４９に向けて搬送されている紙幣を、そのまま搬送路５１Ａで搬送するルートと搬送路５１Ｃに流すルートとに振り分ける振分部５５Ｃが設けられている。搬送路５１Ａの搬送路５１Ｄが分岐する位置には、搬送路５１Ａを係員側識別部４０側から紙幣庫４９に向けて搬送されている紙幣を、そのまま搬送路５１Ａで搬送するルートと搬送路５１Ｄに流すルートとに振り分ける振分部５５Ｄが設けられている。搬送路５１Ａの搬送路５１Ｅが分岐する位置には、搬送路５１Ａを係員側識別部４０側から紙幣庫４９に向けて搬送されている紙幣を、そのまま搬送路５１Ａで搬送するルートと搬送路５１Ｅに流すルートとに振り分ける振分部５５Ｅが設けられている。
【００５２】
搬送路５１Ａの係員側バラ紙幣入出部３２と係員側識別部４０との間にて搬送路５１Ｆが接続する位置には、搬送路５１Ａを係員側識別部４０側から係員側バラ紙幣入出部３２に向けて搬送されている紙幣を、そのまま搬送路５１Ａで搬送するルートと搬送路５１Ｆに流すルートとに振り分ける振分部５５Ｆａが設けられている。搬送路５１Ａの係員側識別部４０と紙幣庫４９との間にて搬送路５１Ｆが接続する位置には、搬送路５１Ａを紙幣庫４９側から係員側識別部４０に向けて搬送されている紙幣を、そのまま搬送路５１Ａで搬送するルートと搬送路５１Ｆに流すルートとに振り分ける振分部５５Ｆｂが設けられている。
【００５３】
搬送路５１Ａの搬送路５１Ｇが分岐する位置には、搬送路５１Ａを係員側識別部４０側から紙幣庫４９に向けて搬送されている紙幣を、そのまま搬送路５１Ａで搬送するルートと搬送路５１Ｇに流すルートとに振り分ける振分部５５Ｇが設けられている。搬送路５１Ｆの搬送路５１Ｈが分岐する位置には、搬送路５１Ｆを紙幣庫４９側から係員側識別部４０に向けて搬送されている紙幣を、そのまま搬送路５１Ｆで搬送するルートと搬送路５１Ｈに流すルートとに振り分ける振分部５５Ｈが設けられている。
【００５４】
搬送路５１Ａの搬送路５１Ｊが分岐する位置には、搬送路５１Ａを係員側識別部４０側から係員側バラ紙幣入出部３２に向けて搬送されている紙幣を、そのまま搬送路５１Ａで搬送するルートと搬送路５１Ｊに流すルートとに振り分ける振分部５５Ｊが設けられている。搬送路５１Ａの搬送路５１Ｋが分岐する位置には、搬送路５１Ａを係員側識別部４０側から係員側バラ紙幣入出部３２に向けて搬送されている紙幣を、そのまま搬送路５１Ａで搬送するルートと搬送路５１Ｋに流すルートとに振り分ける振分部５５Ｋが設けられている。
【００５５】
搬送路５１Ａの搬送路５１Ｍが分岐する位置には、搬送路５１Ａを係員側識別部４０側から係員側バラ紙幣入出部３２に向けて搬送されている紙幣を、そのまま搬送路５１Ａで搬送するルートと搬送路５１Ｍに流すルートとに振り分ける振分部５５Ｍが設けられている。搬送路５１Ｈの搬送路５１Ｎが分岐する位置には、搬送路５１Ｈを紙幣庫４９側から係員側入金リジェクト部３４側に向けて搬送されている紙幣を、そのまま搬送路５１Ｈで搬送するルートと搬送路５１Ｎに流すルートとに振り分ける振分部５５Ｎが設けられている。
【００５６】
表裏反転部５３は、搬送路５１Ｊの中間部分からなって逆Ｖ字状をなす入口側搬送路および出口側搬送路を有しており、入口側搬送路の末端位置に位置する紙幣を前方に押圧して出口側搬送路に移動させる羽根車等の図示略の移動機構を有している。
【００５７】
表裏反転部５３は、天地方向の一方向を搬送方向に合わせて搬送路５１Ａを係員側識別部４０から係員側バラ紙幣入出部３２に向けて移動している紙幣を、入口側搬送路に受け入れて、出口側搬送路に受け渡し、出口側搬送路で天地方向の前記一方向とは逆の逆方向を搬送方向に合わせて搬送路５１Ａに再び合流させるものである。これにより、表裏反転部５３を通過した紙幣は、表裏反転部５３を通らずに搬送路５１Ａを通って係員側識別部４０から係員側バラ紙幣入出部３２に向けて搬送される場合に対して、表裏および天地が反転する。
【００５８】
振分部５５Ｊは、係員側識別部４０の識別結果から表裏方向の所定の一側が上を向いて搬送されている紙幣を、搬送路５１Ｊをバイパスするようにそのまま搬送路５１Ａへ流し、係員側識別部４０の識別結果から表裏方向の前記一側とは逆の逆側が上を向いて搬送されている紙幣を、搬送路５１Ｊつまり表裏反転部５３へ流す。これにより、搬送路５１Ａの搬送路５１Ｊよりも係員側バラ紙幣入出部３２側を流れる紙幣は表裏が取り揃えられることになる。
【００５９】
顧客側装置部１１ｙには、顧客側を前側とすると、その前面に臨んで、機外からバラ紙幣が投入される上記した顧客側入金部２２が設けられている。顧客側入金部２２は、外部から紙幣が投入され、投入された紙幣を内部に繰り出し可能となっている。
【００６０】
顧客側入金部２２は、その底部を構成する載置板２２ａが後下がりに傾斜した姿勢で直交方向に昇降可能に設けられている。顧客側入金部２２には、機外から、長辺方向および短辺方向をそれぞれ揃え表裏方向に集積されるとともに長辺方向を左右方向に沿わせた状態で紙幣が投入されることになる。このように投入された紙幣が、載置板２２ａ上に載置板２２ａに対し直交する方向に集積された状態で載置される。
【００６１】
顧客側入金部２２には、紙幣の集積スペースに対し機外からのアクセスを許容および規制する開閉可能なシャッタ２２ｂと、顧客側入金部２２の紙幣の有無を検知する図示略の紙幣有無検知センサとが設けられている。シャッタ２２ｂは、閉じられた状態が待機状態であり、機外から、顧客側入金部２２に紙幣が投入される際に開かれる。
【００６２】
顧客側入金部２２の上部の後側には、機外から載置板２２ａ上に集積状態で投入されたバラ紙幣を上端のものから一枚ずつ分離し所定の間隔をあけて機内へ繰り出す繰出部２２ｃが設けられている。繰出部２２ｃは、常にシャッタ２２ｂが閉じられた状態で作動するようになっている。ここで、繰出部２２ｃは、機内からの紙幣を顧客側入金部２２に繰り出し可能となっており、よって、顧客側入金部２２は、機内から長辺方向を左右方向に沿わせた姿勢で繰り出される紙幣を載置板２２ａ上に集積可能となっている。
【００６３】
顧客側装置部１１ｙには、顧客側入金部２２の下側に、前面に臨んで上記した顧客側リジェクト部２３が設けられている。顧客側リジェクト部２３は、その底部を構成する載置板２３ａが後下がりに傾斜した姿勢で直交方向に昇降可能に設けられている。顧客側リジェクト部２３には、機内からの紙幣が長辺方向を左右方向に沿わせた姿勢で繰り出され、載置板２３ａ上に上下方向に集積される。
【００６４】
顧客側リジェクト部２３には、紙幣の集積スペースに対し機外からのアクセスを許容および規制する開閉可能なシャッタ２３ｂと、顧客側リジェクト部２３の紙幣の有無を検知する図示略の紙幣有無検知センサとが設けられている。シャッタ２３ｂは、閉じられた状態が待機状態であり、機外に、顧客側リジェクト部２３から紙幣が取り出される際に開かれる。
【００６５】
顧客側リジェクト部２３の上部の後側には、機内からの紙幣を顧客側リジェクト部２３内に繰り出す繰出部２３ｃが設けられている。繰出部２３ｃは、常にシャッタ２３ｂが閉じられた状態で作動するようになっている。繰出部２３ｃによって機内から顧客側リジェクト部２３に繰り出された紙幣は、載置板２３ａ上に集積されることになる。ここで、繰出部２３ｃは、載置板２３ａ上に集積されたバラ紙幣を上端のものから一枚ずつ分離し所定の間隔をあけて機内へ繰り出すことが可能となっており、よって、顧客側リジェクト部２３は、載置板２３ａ上に集積された紙幣を一枚ずつ機内に取り込み可能となっている。
【００６６】
顧客側装置部１１ｙには、顧客側リジェクト部２３の後方に、繰出部２２ｃによって顧客側入金部２２から一枚ずつ分離して機内に繰り出される紙幣を識別する顧客側識別部８０（識別部）が設けられている。また、顧客側装置部１１ｙの下部には、手前側から順に、例えば入金された入金確定前のバラ紙幣を上下に集積させた状態で繰り出し可能に一時貯留させる紙幣庫８１（第１の一時貯留部）と、紙幣庫８１から繰り出される紙幣を一時貯留させる紙幣庫８２（第２の一時貯留部）とが設けられている。
【００６７】
紙幣庫８１は、その底部を構成する水平な載置板８１ａが鉛直方向に昇降可能に設けられており、上部に、載置板８１ａ上に紙幣を一枚ずつ繰り出して上下方向に集積させるとともに載置板８１ａ上の紙幣を上端のものから一枚ずつ分離して繰り出す繰出部８１ｂが設けられている。また、紙幣庫８１には、内部の紙幣の有無を検知する図示略の紙幣有無検知センサが設けられている。紙幣庫８１は、例えば顧客側入金部２２から繰り出され顧客側識別部８０で正常と識別された入金確定前のバラ紙幣を金種混合で上下に集積させて貯留させる。
【００６８】
紙幣庫８２は、テープ８２ａを一端側から巻き取りおよび繰り出し可能な紙幣集積ドラム８２ｂと、テープ８２ａを他端側から巻き取りおよび繰り出し可能なテープドラム８２ｃとを有するテープ巻取ドラム方式のものである。紙幣庫８２は、紙幣集積ドラム８２ｂおよびテープドラム８２ｃが一方向（図１の時計回り方向）に回転することにより、入出口８２ｄから搬入される紙幣を紙幣集積ドラム８２ｂにテープ８２ａとともに順次巻き付けて一時貯留させる。また、紙幣庫８２は、紙幣集積ドラム８２ｂおよびテープドラム８２ｃが逆方向（図１の反時計回り方向）に回転することにより、紙幣集積ドラム８２ｂに一時貯留させていた紙幣をテープ８２ａとともに紙幣集積ドラム８２ｂから繰り出しテープ８２ａから分離して一枚ずつ入出口８２ｄから送り出す（例えば、特開２００６−２９０５１３号公報、特開２０１１−３４４９号公報参照）。紙幣庫８２は、入出口８２ｄを通過する紙幣を検知する紙幣通過検知センサ８２ｅと、紙幣集積ドラム８２ｂの回転位置を検出する回転位置検知センサ８２ｆとを有している。
【００６９】
顧客側装置部１１ｙには、紙幣を搬送する紙幣搬送路９１（入金搬送部）が顧客側装置部１１ｙの各部を適宜繋ぐように設けられている。紙幣搬送路９１は、顧客側入金部２２と紙幣庫８１とを繋ぐ搬送路９１Ａを有している。搬送路９１Ａは、顧客側を前方とすると、顧客側入金部２２の繰出部２２ｃから後上がりに延出した後、後下がりに延出し、さらに鉛直下方に延出し、その後、前側に一端延出した後、下方に延出する。搬送路９１Ａは、さらに後方に延出して顧客側識別部８０を通った後、顧客側装置部１１ｙの後部で下方に延出し、さらに前方に延出して顧客側装置部１１ｙの前部で下方に延出して紙幣庫８１の繰出部８１ｂに繋がっている。
【００７０】
紙幣搬送路９１は、搬送路９１Ａの下部の水平部分の途中から分岐して紙幣庫８２の入出口８２ｄに繋がる搬送路９１Ｂと、搬送路９１Ａの搬送路９１Ｂの分岐位置よりも紙幣庫８１側の前端部から分岐し上方に延出した後に後方に延出して搬送路９１Ａの顧客側入金部２２と顧客側識別部８０との間位置に繋がる搬送路９１Ｃとを有している。紙幣搬送路９１は、搬送路９１Ａにおける搬送路９１Ｂの分岐位置と搬送路９１Ｃの分岐位置との間位置から分岐し上方に延出して搬送路９１Ｃの途中位置に繋がる搬送路９１Ｄと、搬送路９１Ｃにおける、搬送路９１Ｄの接続位置と、搬送路９１Ａの顧客側入金部２２側への接続位置との間から分岐し上方に延出した後に前方に延出して顧客側リジェクト部２３に繋がる搬送路５１Ｅとを有している。また、紙幣搬送路９１は、搬送路９１Ａにおける搬送路９１Ｃの顧客側入金部２２側への接続位置と顧客側入金部２２との間から前方に分岐して搬送路９１Ｅに繋がる搬送路９１Ｆを有している。
【００７１】
搬送路９１Ａの顧客側入金部２２と顧客側識別部８０との間にて搬送路９１Ｃが接続する位置には、搬送路９１Ａを顧客側識別部８０側から顧客側入金部２２に向けて搬送されている紙幣を、そのまま搬送路９１Ａで搬送するルートと搬送路９１Ｃに流すルートとに振り分ける振分部９５Ｃａが設けられている。搬送路９１Ａの顧客側識別部８０と紙幣庫８１との間にて搬送路９１Ｃが接続する位置には、搬送路９１Ａを紙幣庫８１側から顧客側識別部８０に向けて搬送されている紙幣を、そのまま搬送路９１Ａで搬送するルートと搬送路９１Ｃに流すルートとに振り分ける振分部９５Ｃｂが設けられている。
【００７２】
搬送路９１Ａの搬送路９１Ｄが分岐する位置には、搬送路９１Ａを顧客側識別部８０側から紙幣庫８１に向けて搬送されている紙幣を、そのまま搬送路９１Ａで搬送するルートと搬送路９１Ｄに流すルートとに振り分ける振分部９５Ｄが設けられている。搬送路９１Ｃの搬送路９１Ｅが分岐する位置には、搬送路９１Ｃを紙幣庫８１側から顧客側識別部８０に向けて搬送されている紙幣を、そのまま搬送路９１Ｃで搬送するルートと搬送路９１Ｅに流すルートとに振り分ける振分部９５Ｅが設けられている。また、搬送路９１Ａの搬送路９１Ｆが分岐する位置には、搬送路９１Ａで顧客側識別部８０側から顧客側入金部２２側へ搬送される紙幣を、そのまま搬送路９１Ａで搬送するルートと搬送路９１Ｆに流すルートとに振り分ける振分部９５Ｆが設けられている。
【００７３】
搬送路９１Ａの顧客側識別部８０と搬送路９１Ｂの分岐位置との間となる後端部から、搬送路９１Ｚが分岐している。搬送路９１Ｚは、搬送路５１Ａの係員側識別部４０と搬送路５１Ｂの分岐位置との間の係員側装置部１１ｘにおける後端部に接続されており、搬送路９１Ａと搬送路５１Ａとを繋ぐ。搬送路９１Ａの搬送路９１Ｚの分岐位置には、搬送路９１Ａを顧客側識別部８０側から紙幣庫８１に向けて搬送される紙幣を、そのまま搬送路９１Ａで搬送するルートと搬送路９１Ｚに流すルートとに振り分ける振分部９５Ａが設けられている。また、搬送路５１Ａの搬送路９１Ｚの接続位置には、ガイド部９５Ｚが設けられている。ガイド部９５Ｚは、搬送路５１Ａにおける係員側識別部４０側から紙幣庫４５〜４９に向けての搬送と、搬送路９１Ｚから搬送路５１Ａを介しての紙幣庫４５〜４９側に向けての搬送とを許容する一方、搬送路５１Ａで紙幣庫４５〜４９側から搬送される紙幣を、常に係員側識別部４０側に案内する。
【００７４】
紙幣処理機１０は、その作動を制御する制御部１００（未操作状態検出手段）と、係員側識別部４０および顧客側識別部８０による紙幣の識別結果に基づく各紙幣の情報等を記憶する記憶部１０１とを有している。記憶部１０１には、各紙幣の金種情報および枚数情報等が記憶される。紙幣処理機１０は、顧客側操作部２０、顧客側表示部２１、顧客側入金部２２、顧客側リジェクト部２３、顧客側識別部８０、紙幣庫８１および紙幣庫８２は、顧客側装置部１１ｙの専用であり、紙幣庫４５〜４８および機内リジェクト部３５は、係員側装置部１１ｘと顧客側装置部１１ｙとで共用となっている。
【００７５】
次に、顧客側操作部２０あるいは係員側識別部４０への操作入力に基づいて制御部１００による制御で実行される紙幣処理機１０の各処理を説明する。
【００７６】
「顧客側入金処理」
図２の太線は、機外から顧客側入金部２２に投入されたバラ紙幣を搬送しつつ識別計数して一時貯留部としての紙幣庫８１に一時貯留させる顧客側入金処理のルートを示している。つまり、顧客側入金部２２の載置板２２ａ上にバラ紙幣が集積状態で載置されて、顧客側操作部２０に顧客側入金処理を行う旨の入力操作がなされると、紙幣処理機１０は、顧客側入金部２２の紙幣を顧客側識別部８０で識別した後に紙幣庫８１に一時貯留させる顧客側入金処理を行う。
【００７７】
具体的には、顧客側操作部２０に顧客側入金処理の選択操作が入力されると、制御部１００は、シャッタ２２ｂを開く。すると、係員は、載置板２２ａ上にバラ紙幣を載置させて、顧客側操作部２０に顧客側入金処理を行う旨の入力操作を入力する。すると、図示略の紙幣有無検知センサで顧客側入金部２２内に紙幣が検知されていることを条件に、制御部１００は、シャッタ２２ｂを閉じ、載置板２２ａ、紙幣搬送路９１、繰出部２２ｃおよび繰出部８１ｂ等を駆動する。すると、繰出部２２ｃが顧客側入金部２２の載置板２２ａ上の紙幣を上端のものから順に一枚ずつ分離し所定の間隔をあけて機内に繰り出すことになり、繰り出した紙幣を、図２に太実線で示すように紙幣搬送路９１の搬送路９１Ａで搬送し顧客側識別部８０で識別する。その後、振分部９５Ａでは紙幣をそのまま搬送路９１Ａで紙幣庫８１側に向け流す。そして、制御部１００は、顧客側識別部８０で正常で受け入れ可能と識別した紙幣（取り扱い金種の紙幣）を、図２に太実線で示すように搬送路９１Ａで紙幣庫８１に搬送する一方、顧客側識別部８０で正常と識別されなかった受け入れ不可な紙幣（判別不能紙幣）を、図２に太実線から太破線で示すように、搬送路９１Ａから振分部９５Ｄで搬送路９１Ｄ，９１Ｃに流し、搬送路９１Ｃから振分部９５Ｅで搬送路９１Ｅに流して、顧客側リジェクト部２３に搬送する。これにより、受け入れ可能な紙幣を紙幣庫８１に一時貯留させ、受け入れ不可な紙幣を、シャッタ２３ｂが閉じられている状態の顧客側リジェクト部２３に払い出す。
【００７８】
顧客側入金処理開始後、図示略の紙幣有無検知センサが顧客側入金部２２に残留する紙幣がなくなったことを検知し、且つ図示略の搬送路センサが紙幣搬送路９１に紙幣がなくなったことを検知すると、制御部１００は、顧客側入金処理を終了する。その際に、顧客側リジェクト部２３に紙幣があることを図示略の紙幣有無検知センサが検知すると、制御部１００は、シャッタ２３ｂを開く。これにより、顧客は、顧客側リジェクト部２３から紙幣を取り出すことになる。顧客側リジェクト部２３から紙幣が取り出されたことを図示略の紙幣有無検知センサが検知すると、制御部１００は、シャッタ２３ｂを閉じる。なお、制御部１００は、以上の顧客側入金処理において顧客側識別部８０で受け入れ可能と判別した紙幣の金種別の枚数情報等を記憶部１０１に一時記憶させるとともに顧客側表示部２１に表示させる。
【００７９】
「顧客側確定収納処理」
図３の太線は、上記した顧客側入金処理にて紙幣庫８１に一時貯留させた紙幣を、顧客側操作部２０への承認操作が入力されたことを条件に、確定して、係員側装置部１１ｘに設けられた金種別環流部としての紙幣庫４５〜４７および金種混合収納部としての紙幣庫４８の対応するものに収納する顧客側確定収納処理のルートを示している。
【００８０】
顧客側確定収納処理では、顧客側操作部２０へ承認操作が入力されると、紙幣庫８１から紙幣を繰り出し顧客側識別部８０で識別して、正常と識別されなかった紙幣を、機内リジェクト部３５に収納しつつ、正常と識別された紙幣を紙幣庫４５〜４８に振り分けて収納する顧客側収納作動を行う。
【００８１】
具体的に、顧客側収納作動では、繰出部８１ｂが紙幣庫８１の紙幣を上端のものから一枚ずつ分離し所定の間隔をあけて繰り出すことになり、繰り出した紙幣を、図３に太実線で示すように、搬送路９１Ａから振分部９５Ｃｂで搬送路９１Ｃに搬送し、振分部９５Ｅでそのまま搬送路９１Ｃの末端位置まで搬送してから搬送路９１Ａを再び通るルートで顧客側識別部８０に搬送し顧客側識別部８０で識別させる。そして、振分部９５Ａで搬送路９１Ａから搬送路９１Ｚに流し搬送路５１Ａに流して、顧客側識別部８０の識別結果に基づいて、正常と識別された紙幣を、振分部５５Ｂ〜５５Ｅおよび搬送路５１Ａ〜５１Ｅの対応するものによって紙幣庫４５〜４８の対応するものに搬送する。これにより、正常と識別された紙幣を紙幣庫４５〜４８の対応するものに収納する。つまり、正常と識別された紙幣のうち、紙幣庫４５に収納されるべき単一金種（例えば千円券）の紙幣を紙幣庫４５に、紙幣庫４６に収納されるべき単一金種（例えば五千円券）の紙幣を紙幣庫４６に、紙幣庫４７に収納されるべき単一金種（例えば万円券）の紙幣を紙幣庫４７に、紙幣庫４８に収納されるべき金種（例えば二千円券および紙幣庫４５〜４７が満杯である場合の満杯金種）の紙幣を紙幣庫４８に収納する。
【００８２】
また、顧客側収納作動では、上記の顧客側識別部８０による識別で、正常と識別されなかった紙幣を、図３に太実線から太破線で示すように、搬送路５１Ａから振分部５５Ｇで搬送路５１Ｇ，５１Ｆに流し、搬送路５１Ｆから振分部５５Ｈで搬送路５１Ｈに流し、搬送路５１Ｈから振分部５５Ｎで搬送路５１Ｎに流して、機内リジェクト部３５に搬送し収納する。図示略の紙幣有無検知センサが紙幣庫８１に紙幣がなくなったことを検知し、且つ図示略の搬送路センサが紙幣搬送路５１，９１に紙幣がなくなったことを検知すると、制御部１００は、顧客側確定収納処理を終了する。
【００８３】
「顧客側入金返却処理」
図４の太線は、顧客側入金処理にて紙幣庫８１に一時貯留させた紙幣を、顧客側操作部２０へのキャンセル操作が入力されたことを条件に、顧客側リジェクト部２３に繰り出す顧客側入金返却処理のルートを示している。つまり、顧客側入金返却処理では、紙幣庫８１の紙幣を上端のものから繰出部８１ｂが繰り出すことになり、繰り出した紙幣を、搬送路９１Ａから振分部９５Ｃｂによって搬送路９１Ｃに流し、振分部９５Ｅによって搬送路９１Ｅに流して顧客側リジェクト部２３に搬送する。これにより、紙幣庫８１から繰り出した紙幣を顧客側リジェクト部２３に集積させる。顧客側入金返却処理開始後、図示略の紙幣有無検知センサが紙幣庫８１に紙幣がなくなったことを検知し、且つ図示略の搬送路センサが紙幣搬送路９１に紙幣がなくなったことを検知すると、制御部１００は、シャッタ２３ｂを開く。これにより、顧客側リジェクト部２３から紙幣が取り出される。図示略の紙幣有無検知センサが顧客側リジェクト部２３から紙幣が取り出されたことを検知すると、制御部１００はシャッタ２３ｂを閉じて、顧客側入金返却処理を終了する。
【００８４】
以上により、紙幣搬送路９１は、例えば、顧客側操作部２０への入金処理操作に基づいて顧客側入金部２２から繰出部２２ｃによって繰り出された紙幣を搬送する。顧客側識別部８０は、このように紙幣搬送路９１によって搬送される紙幣を識別する。紙幣庫８１は、顧客側識別部８０によって受け入れ可能と識別された紙幣を一時貯留させる。顧客側リジェクト部２３は、顧客側識別部８０によって受け入れ不可と識別された紙幣を機外へ取り出し可能に排出するとともに、顧客側操作部２０へのキャンセル操作に基づいて紙幣庫８１から繰り出される紙幣を機外へ取り出し可能に返却する。紙幣庫４５〜４８は、顧客側操作部２０への入金確定操作に基づいて紙幣庫８１から繰り出される紙幣を収納する。顧客側リジェクト部２３は、顧客側識別部８０によって受け入れ不可と識別された紙幣を機外へ取り出し可能に排出するリジェクト部と、顧客側操作部２０へのキャンセル操作に基づいて紙幣庫８１から繰り出される紙幣を機外へ取り出し可能に返却する返却部とを兼ねている。
【００８５】
「入金未確定貯留処理」
制御部１００は、上記した紙幣庫８１に紙幣を一時貯留させる顧客側入金処理の終了後、顧客側操作部２０の所定の未操作状態の有無を検出する。この所定の未操作状態は、例えば、顧客側入金処理の終了後に開始されるタイマによる計時時間が所定の限度時間に達することであり、この計時時間が所定の限度時間に達することで検出される。つまり、制御部１００は、タイマの計時時間が所定の限度時間に達することで、所定の未操作状態有りを検出することになり、タイマの計時時間が所定の限度時間に達していなければ、所定の未操作状態なしを検出する。あるいは、顧客側装置部１１ｙの前面に人の立ち去りを検出する人感センサを設け、所定の未操作状態は、この人感センサが人の立ち去りを検出することで検出される。つまり、制御部１００は、人感センサが人の立ち去りを検出すると、所定の未操作状態有りを検出することになり、人感センサが人の立ち去りを検出しなければ、所定の未操作状態なしを検出する。タイマの計時時間と人感センサの人の立ち去り検出とを組み合わせて、タイマによる計時時間が所定の限度時間に達すること、および人感センサが顧客側装置部１１ｙからの人の立ち去りを検出することの、いずれか早い一方で、所定の未操作状態有りを検出するようにしても良い。
【００８６】
制御部１００は、顧客側入金処理の終了後に紙幣庫８１に紙幣を一時貯留させている状態で、顧客側操作部２０への入金確定操作前かつキャンセル操作前に上記した所定の未操作状態有りを検出すると、紙幣庫８１から紙幣を繰り出して、図５に太線で示すルートで紙幣庫８２に入金未確定紙幣として一時貯留させる入金未確定貯留処理を行う。なお、上記した所定の未操作状態有りを検出する前に、顧客側操作部２０への入金確定操作またはキャンセル操作が入力されると、入金未確定貯留処理を行うことはない。この入金未確定貯留処理において、紙幣庫８１のすべての紙幣を繰り出して紙幣庫８２に一時貯留させると、制御部１００は、図示略の紙幣有無検知センサの検知結果に基づいて顧客側リジェクト部２３の紙幣の有無を検出し、顧客側リジェクト部２３に紙幣が有る場合には、顧客側リジェクト部２３の紙幣も紙幣庫８２に一時貯留させることになる。
【００８７】
具体的に、入金未確定貯留処理では、図５の太実線で示すように、紙幣庫８１の紙幣を上端のものから繰出部８１ｂが繰り出すことになり、繰り出した紙幣を、搬送路９１Ａから振分部９５Ｃｂによって搬送路９１Ｃに流し、振分部９５Ｅによってそのまま搬送路９１Ｃの末端位置まで流して、再び搬送路９１Ａに流し、顧客側識別部８０を通過後、振分部９５Ａによって搬送路９１Ａでそのまま流して、振分部９５Ｂによって搬送路９１Ｂに流し紙幣庫８２に搬送する。すると、紙幣庫８２が紙幣をテープ８２ａとともに紙幣集積ドラム８２ｂに巻き付けて一時貯留させる。つまり、紙幣庫８２が紙幣庫８１の紙幣を入金未確定紙幣として一時貯留させる。入金未確定貯留処理開始後、図示略の紙幣有無検知センサが紙幣庫８１に紙幣がなくなったことを検知し、且つ紙幣通過検知センサ８２ｅおよび図示略の搬送路センサが紙幣搬送路９１に紙幣がなくなったことを検知すると、制御部１００は、顧客側リジェクト部２３の紙幣の有無を検出し、顧客側リジェクト部２３に紙幣がなければ、入金未確定貯留処理を終了する。
【００８８】
他方、顧客側リジェクト部２３に紙幣が有る場合には、顧客側リジェクト部２３の紙幣を上端のものから繰出部２３ｃが繰り出すことになり、繰り出した紙幣を、搬送路９１Ｅ，９１Ｆから搬送路９１Ａに流し、顧客側識別部８０を通過後、振分部９５Ａによって搬送路９１Ａでそのまま流して、振分部９５Ｂによって搬送路９１Ｂに流し、紙幣庫８２に搬送する。すると、紙幣庫８２が紙幣をテープ８２ａとともに紙幣集積ドラム８２ｂに巻き付けて一時貯留させる。つまり、紙幣庫８２が顧客側リジェクト部２３の紙幣を入金未確定紙幣として一時貯留させる。図示略の紙幣有無検知センサが顧客側リジェクト部２３に紙幣がなくなったことを検知し、且つ紙幣通過検知センサ８２ｅおよび図示略の搬送路センサが紙幣搬送路９１に紙幣がなくなったことを検知すると、制御部１００は、入金未確定貯留処理を終了する。つまり、制御部１００は、入金未確定貯留処理において、顧客側リジェクト部２３からも紙幣を繰り出して紙幣庫８２に入金未確定紙幣として一時貯留させる。
【００８９】
以上の入金未確定貯留処理の開始から終了までの間、制御部１００は、紙幣集積ドラム８２ｂの回転位置を検出しており、これにより、紙幣集積ドラム８２ｂのいずれの回転位置の範囲に、この入金未確定貯留処理の入金未確定紙幣を一時貯留させているかを把握している。つまり、紙幣庫８２は、複数回の顧客側入金処理の入金未確定紙幣を顧客側入金処理毎に分類して一時貯留可能であり、複数の入金未確定貯留処理が行われても、各入金未確定貯留処理毎の入金未確定紙幣を、紙幣集積ドラム８２ｂのいずれの回転位置の範囲にあるかを把握することで区別する。なお、この把握のために、入金未確定貯留処理と次の入金未確定貯留処理との間に、処理間を区別するための所定の回転間隔を設けるようにしている。制御部１００は、各入金未確定貯留処理毎の回転位置の範囲を、顧客側入金処理に関連する個別の識別情報とともに記憶部１０１に記憶する。顧客側入金処理に関連する識別情報として、例えば、顧客側操作部２０のカードリーダで読み取ったＩＣカードの識別番号を用いる。
【００９０】
「入金未確定返却処理」
制御部１００は、顧客側操作部２０に入金未確定紙幣の返却処理操作が入力されると、紙幣庫８２に一時貯留させている入金未確定紙幣を繰り出して、図６に太線で示すルートで顧客側リジェクト部２３へ搬送する入金未確定返却処理を行う。
【００９１】
つまり、顧客側操作部２０への入金未確定紙幣の返却処理操作時に顧客側操作部２０のカードリーダでＩＣカードを読み取らせることになり、制御部１００は、このＩＣカードの識別番号に対応する入金未確定紙幣の回転位置の範囲を記憶部１０１から読み出す。そして、制御部１００は、紙幣庫８２に一時貯留させていてこの識別番号に対応する入金未確定紙幣よりも前に紙幣庫８２から繰り出される他の識別番号に対応する入金未確定紙幣を紙幣庫８１に貯留させて退避させるとともに、今回読み込んだ識別番号に対応する入金未確定紙幣を顧客側リジェクト部２３へ搬送し、その後、紙幣庫８１に退避させていた入金未確定紙幣を紙幣庫８２に戻す。
【００９２】
具体的には、入金未確定返却処理では、紙幣庫８２の紙幣を搬送路９１Ｂに繰り出すことになり、図６の太実線から太破線で示すように、紙幣庫８２から先に繰り出される他の識別番号に対応する入金未確定紙幣を、搬送路９１Ａから振分部９５Ｃａによって搬送路９１Ｃに流し、再び搬送路９１Ａに流して、紙幣庫８１に搬送し、一時貯留させる。他方、図６の太実線で示すように、今回読み込んだ識別番号に対応する入金未確定紙幣を、搬送路９１Ａから振分部９５Ｃａ，９５Ｆによって搬送路９１Ｆ，９１Ｅに流し、顧客側リジェクト部２３に搬送する。これにより、今回読み込んだ識別番号に対応する入金未確定紙幣を、顧客側リジェクト部２３に返却する。なお、このように紙幣庫８２から顧客側リジェクト部２３へ入金未確定紙幣を搬送する際にこれら紙幣は顧客側識別部８０を通ることになるが、このとき、顧客側識別部８０での金種識別は行わない。また、今回読み込んだ識別番号に対応する入金未確定紙幣の繰り出し後は、紙幣庫８２からの入金未確定紙幣の繰り出しは行わない。
【００９３】
入金未確定返却処理開始後、図示略の搬送路センサが紙幣搬送路９１に紙幣がなくなったことを検知すると、制御部１００は、顧客側リジェクト部２３のシャッタ２３ｂを開くとともに、紙幣庫８１に移動した紙幣がある場合には、これら紙幣を図６の太破線から太実線で示す上記とは逆の搬送路９１Ａ，９１Ｃ，９１Ａ，９１Ｂを通るルートで紙幣庫８２に戻す。シャッタ２３ｂが開かれると、顧客は、顧客側リジェクト部２３から紙幣を取り出すことになる。顧客側リジェクト部２３から紙幣が取り出されたことを図示略の紙幣有無検知センサが検知すると、制御部１００は、シャッタ２３ｂを閉じる。これと合わせて、紙幣庫８１の紙幣を紙幣庫８２に戻し終えると、制御部１００は、入金未確定返却処理を終了する。
【００９４】
他方、制御部１００は、入金未確定返却処理を終了後、顧客側リジェクト部２３から紙幣が取り出されずに上記した未操作状態有りを検出すると、シャッタ２３ｂを閉じて、図６に太実線で示す上記とは逆の搬送路９１Ｅ，９１Ｆ，９１Ａ，９１Ｂを通るルートで、顧客側リジェクト部２３から紙幣を繰り出して紙幣庫８２に戻す。
【００９５】
「入金未確定再入金処理」
制御部１００は、顧客側操作部２０に入金未確定紙幣の再入金処理操作が入力されると、紙幣庫８２に一時貯留させている入金未確定紙幣を繰り出し、図７に太線で示すルートで搬送し、顧客側識別部８０で識別して、顧客側識別部８０によって受け入れ可能と識別された紙幣を紙幣庫８１に搬送し、顧客側識別部８０によって受け入れ不可と識別された紙幣を顧客側リジェクト部２３に搬送する入金未確定再入金処理を行う。つまり、顧客側操作部２０への入金未確定紙幣の再入金処理操作時に顧客側操作部２０のカードリーダでＩＣカードを読み取らせることになり、制御部１００は、このＩＣカードの識別番号に対応する入金未確定紙幣の回転位置の範囲を記憶部１０１から読み出す。
【００９６】
そして、制御部１００は、紙幣庫８２に一時貯留させていてこの識別番号に対応する入金未確定紙幣よりも前に紙幣庫８２から繰り出される他の識別番号に対応する入金未確定紙幣を顧客側入金部２２に貯留させて退避させるとともに、今回読み込んだ識別番号に対応する入金未確定紙幣を紙幣庫８１へ搬送し、その後、顧客側入金部２２に退避させていた入金未確定紙幣を紙幣庫８２に戻す。
【００９７】
具体的には、入金未確定再入金処理では、紙幣庫８２の紙幣を搬送路９１Ｂに繰り出すことになり、図７の太実線から太鎖線で示すように、紙幣庫８２から先に繰り出される他の識別番号に対応する入金未確定紙幣を、振分部９５Ｃａ，９５Ｆによって搬送路９１Ａで顧客側入金部２２に搬送する。他方、図７の太実線で示すように、今回読み込んだ識別番号に対応する入金未確定紙幣のうち、顧客側識別部８０で正常で受け入れ可能と識別した紙幣を、搬送路９１Ａから振分部９５Ｃａによって搬送路９１Ｃに流し、再び搬送路９１Ａに流して、紙幣庫８１に搬送する一方、顧客側識別部８０で正常と識別されなかった受け入れ不可な紙幣を、図７に太実線から太破線、さらに太破線で示すように、搬送路９１Ａから振分部９５Ｃａ，９５Ｆで搬送路９１Ｆ，９１Ｅに流して顧客側リジェクト部２３に搬送する。これにより、受け入れ可能な紙幣を紙幣庫８１に一時貯留させ、受け入れ不可な紙幣を、シャッタ２３ｂが閉じられている顧客側リジェクト部２３に払い出す。この場合も、今回読み込んだ識別番号に対応する入金未確定紙幣の繰り出し後は、紙幣庫８２からの入金未確定紙幣の繰り出しは行わない。
【００９８】
入金未確定再入金処理開始後、図示略の搬送路センサが紙幣搬送路９１に紙幣がなくなったことを検知すると、制御部１００は、顧客側リジェクト部２３に紙幣がある場合にはシャッタ２３ｂを開くとともに、顧客側入金部２２に移動した紙幣がある場合には、これら紙幣を図７の太鎖線および太実線で示す上記とは逆の搬送路９１Ａ，９１Ｂを通るルートで紙幣庫８２に戻す。シャッタ２３ｂが開かれると、顧客は、顧客側リジェクト部２３から紙幣を取り出すことになる。顧客側リジェクト部２３から紙幣が取り出されたことを図示略の紙幣有無検知センサが検知すると、制御部１００は、シャッタ２３ｂを閉じる。これと合わせて、顧客側入金部２２の紙幣を紙幣庫８２に戻し終えると、制御部１００は、入金未確定再入金処理を終了する。なお、制御部１００は、以上の入金未確定再入金処理において顧客側識別部８０で受け入れ可能と判別した紙幣の金種別の枚数情報等を記憶部１０１に一時記憶させるとともに顧客側表示部２１に表示させる。
【００９９】
その後は、上記した顧客側確定収納処理あるいは顧客側入金返却処理の操作入力を待機する。この入金未確定再入金処理において、紙幣庫８２から先に繰り出される他の識別番号に対応する入金未確定紙幣を、顧客側リジェクト部２３に搬送し、今回読み込んだ識別番号に対応する入金未確定紙幣のうち、顧客側識別部８０で正常と識別されなかった受け入れ不可な紙幣を、顧客側入金部２２に排出し、顧客側入金部２２から取り出させるようにすることも可能である。
【０１００】
「係員側入金処理」
図８の太線は、機外から係員側バラ紙幣入出部３２に投入されたバラ紙幣を搬送しつつ識別計数して一時貯留部としての紙幣庫４９に一時貯留させる係員側入金処理のルートを示している。つまり、係員側バラ紙幣入出部３２の載置板３２ａ上にバラ紙幣が集積状態で載置されて、係員側操作部３０に係員側入金処理を行う旨の入力操作がなされると、紙幣処理機１０は、係員側バラ紙幣入出部３２の紙幣を係員側識別部４０で識別した後に紙幣庫４９に一時貯留させる係員側入金処理を行う。
【０１０１】
具体的には、係員側操作部３０に係員側入金処理の選択操作が入力されると、制御部１００は、シャッタ３２ｂを開く。すると、係員は、載置板３２ａ上にバラ紙幣を載置させて、係員側操作部３０に係員側入金処理を行う旨の入力操作を入力する。すると、図示略の紙幣有無検知センサで係員側バラ紙幣入出部３２にある紙幣が検知されていることを条件に、制御部１００は、シャッタ３２ｂを閉じ、載置板３２ａ、紙幣搬送路５１、繰出部３２ｃおよび繰出部４９ｂ等を駆動する。すると、繰出部３２ｃが係員側バラ紙幣入出部３２の載置板３２ａ上の紙幣を上端のものから順に一枚ずつ分離し所定の間隔をあけて機内に繰り出すことになり、繰り出した紙幣を、図８に太実線で示すように紙幣搬送路５１の搬送路５１Ａで搬送し係員側識別部４０で識別することになる。そして、制御部１００は、係員側識別部４０で正常で受け入れ可能と識別した紙幣を、図８に太実線で示すように搬送路５１Ａで紙幣庫４９に搬送する一方、係員側識別部４０で正常と識別されなかった受け入れ不可な紙幣を、図８に太実線から太破線で示すように、搬送路５１Ａから振分部５５Ｇで搬送路５１Ｇ，５１Ｆに流し、搬送路５１Ｆから振分部５５Ｈで搬送路５１Ｈに流して、係員側入金リジェクト部３４に搬送する。これにより、受け入れ可能な紙幣を紙幣庫４９に一時貯留させ、受け入れ不可な紙幣を、シャッタ３４ａが閉じられている係員側入金リジェクト部３４に払い出す。
【０１０２】
係員側入金処理開始後、図示略の紙幣有無検知センサが係員側バラ紙幣入出部３２に残留する紙幣がなくなったことを検知し、且つ図示略の搬送路センサが紙幣搬送路５１に紙幣がなくなったことを検知すると、制御部１００は、係員側入金処理を終了する。その際に、係員側入金リジェクト部３４に紙幣があることを図示略の紙幣有無検知センサが検知すると、制御部１００は、シャッタ３４ａを開く。これにより、係員は、係員側入金リジェクト部３４から紙幣を取り出すことになる。係員側入金リジェクト部３４から紙幣が取り出されたことを図示略の紙幣有無検知センサが検知すると、制御部１００は、シャッタ３４ａを閉じる。なお、制御部１００は、以上の係員側入金処理において係員側識別部４０で受け入れ可能と判別した紙幣の金種別の枚数情報等を記憶部１０１に一時記憶させるとともに係員側表示部３１に表示させる。
【０１０３】
「係員側収納処理」
図９の太線は、上記した係員側入金処理にて紙幣庫４９に一時貯留させた紙幣を、係員側操作部３０への承認操作が入力されたことを条件に、確定して、金種別環流部としての紙幣庫４５〜４７および金種混合収納部としての紙幣庫４８の対応するものに収納する係員側収納処理のルートを示している。
【０１０４】
係員側収納処理では、まず、係員側操作部３０へ承認操作が入力されると、紙幣庫４９から紙幣を繰り出し係員側識別部４０で識別して、正常と識別されなかった紙幣を、機内リジェクト部３５に収納しつつ、正常と識別された紙幣を紙幣庫４５〜４８に振り分けて収納する係員側収納作動を行う。
【０１０５】
具体的に、係員側収納作動では、繰出部４９ｂが紙幣庫４９の紙幣を上端のものから一枚ずつ分離し所定の間隔をあけて繰り出すことになり、繰り出した紙幣を、図９に太実線で示すように、搬送路５１Ａから振分部５５Ｆｂで搬送路５１Ｆに流し、搬送路５１Ｆの末端位置から搬送路５１Ａを再び通るルートで係員側識別部４０に搬送する。そして、係員側識別部４０の識別結果に基づいて、正常と識別された紙幣を、振分部５５Ｂ〜５５Ｅおよび搬送路５１Ａ〜５１Ｅの対応するものによって紙幣庫４５〜４８の対応するものに搬送する。これにより、正常と識別された紙幣を紙幣庫４５〜４８の対応するものに収納する。つまり、正常と識別された紙幣のうち、紙幣庫４５に収納されるべき単一金種（例えば千円券）の紙幣を紙幣庫４５に、紙幣庫４６に収納されるべき単一金種（例えば五千円券）の紙幣を紙幣庫４６に、紙幣庫４７に収納されるべき単一金種（例えば万円券）の紙幣を紙幣庫４７に、紙幣庫４８に収納されるべき金種（例えば二千円券および紙幣庫４５〜４７が満杯である場合の満杯金種）の紙幣を紙幣庫４８に収納する。
【０１０６】
また、係員側収納作動では、上記の係員側識別部４０による識別で、正常と識別されなかった紙幣を、図９に太実線から太破線で示すように、搬送路５１Ａから振分部５５Ｇで搬送路５１Ｇ，５１Ｆに流し、搬送路５１Ｆから振分部５５Ｈで搬送路５１Ｈに流し、搬送路５１Ｈから振分部５５Ｎで搬送路５１Ｎに流して、機内リジェクト部３５に搬送し収納する。なお、紙幣庫４９から係員側識別部４０に向けて搬送路５１Ｆを通る紙幣と、係員側識別部４０による識別で、正常と識別されずに搬送路５１Ｇから搬送路５１Ｆを通る紙幣とが、搬送路５１Ｆの一部ルートを重ね合わせているが、これら紙幣が干渉しないように、正常と識別されずに搬送路５１Ｆを通る紙幣を優先し、この紙幣が搬送路５１Ｆを通る間は、紙幣庫４９から係員側識別部４０に向けての紙幣の繰り出しは中断する。
【０１０７】
「係員側返却処理」
図１０の太線は、係員側入金処理にて紙幣庫４９に一時貯留させた紙幣を、係員側操作部３０へのキャンセル操作が入力されたことを条件に、係員側バラ紙幣入出部３２に繰り出す係員側返却処理のルートを示している。つまり、係員側返却処理では、紙幣庫４９の紙幣を上端のものから繰出部４９ｂが繰り出すことになり、繰り出した紙幣を、搬送路５１Ａによって係員側バラ紙幣入出部３２に搬送する。これにより、係員側バラ紙幣入出部３２に紙幣を返却する。係員側返却処理開始後、図示略の紙幣有無検知センサが紙幣庫４９に紙幣がなくなったことを検知し、且つ図示略の搬送路センサが紙幣搬送路５１に紙幣がなくなったことを検知すると、係員側返却処理を終了する。なお、この係員側返却処理においても、紙幣庫４９から返却する紙幣を、後述するバラ紙幣出金処理と同様に、必要により表裏を表裏反転部５３で反転させることにより、表裏を取り揃えた後、係員側バラ紙幣入出部３２に返却することが可能である。
【０１０８】
「バラ紙幣出金処理」
図１１の太線は、係員側操作部３０へ入力されたバラ出金操作に基づいて、金種別環流部としての紙幣庫４５〜４７の指定された金種のものから、指定された所定の金種および枚数の出金紙幣を出金するバラ紙幣出金処理のルートを示している。
【０１０９】
紙幣庫４５〜４７から紙幣を繰り出し係員側識別部４０で識別して、正常と識別されなかった紙幣を、図１１に太実線から太破線で示すように、機内リジェクト部３５に収納しつつ、正常と識別された紙幣を、図１１に太実線および太鎖線で示すように適宜表裏反転部５３で反転させ、係員側バラ紙幣入出部３２に、指定された所定の金種および枚数の出金紙幣をすべて繰り出す出金作動を行う。
【０１１０】
つまり、まず、係員側操作部３０への操作入力で、バラ紙幣出金処理の選択操作と、出金すべき紙幣の金種別の枚数あるいは出金金額が指定入力され、バラ紙幣出金処理を実行する旨の操作入力がなされる。制御部１００は、出金金額が指定入力された場合には、出金枚数が最小となる組み合わせで出金すべき紙幣の金種別の枚数を算出して指定する。ここでは、具体的に、紙幣庫４５〜４７のすべてから紙幣を払い出す場合を例にとり説明する。
【０１１１】
出金作動では、まず、紙幣庫４５に収納されている紙幣を上端のものから繰出部４５ｂが一枚ずつ分離し所定の間隔をあけて指定枚数分繰り出すことになり、繰り出した紙幣を、図１１に太実線で示すように、搬送路５１Ｂと、搬送路５１Ａとで係員側識別部４０に搬送する。そして、係員側識別部４０で正常と識別した紙幣は、振分部５５Ｊが振り分けることによって、表裏反転が必要でない紙幣を、図１０に太実線で示すように搬送路５１Ａでそのまま係員側バラ紙幣入出部３２に搬送し、表裏反転が必要な紙幣を、図１０に太鎖線で示すように搬送路５１Ａから搬送路５１Ｊに流し、表裏反転部５３で表裏を反転させてから搬送路５１Ａで係員側バラ紙幣入出部３２に搬送する。係員側識別部４０で正常でないと識別した紙幣は、振分部５５Ｍ，５５Ｎが搬送路５１Ｍ，５１Ｈ，５１Ｎに流して、機内リジェクト部３５に収納する。図示略の搬送路センサの検出結果から、紙幣庫４５から指定枚数の出金紙幣を係員側バラ紙幣入出部３２に払い出し、且つ紙幣搬送路５１に紙幣がなくなったことを検知すると、制御部１００は、紙幣庫４６について同様の処理を行い、さらに紙幣庫４７についても同様の処理を行う。
【０１１２】
出金作動開始後、図示略の搬送路センサ等の検出結果から、指定された所定の金種および枚数の出金紙幣をすべて、係員側バラ紙幣入出部３２に払い出し、且つ紙幣搬送路５１に紙幣がなくなったことを検知すると、制御部１００は、シャッタ３２ｂを開く。すると、係員は、係員側バラ紙幣入出部３２から紙幣を取り出すことになる。そして、図示略の紙幣有無検知センサで係員側バラ紙幣入出部３２から紙幣がすべて取り出されたことを検知すると、制御部１００は、シャッタ３２ｂを閉じる。
【０１１３】
「束出金処理」
図１２の太線は、係員側操作部３０へ入力された束出金操作に基づいて、金種別環流部としての紙幣庫４５、紙幣庫４６および紙幣庫４７の指定された金種のものからの紙幣を結束して出金する束出金処理のルートを示している。束出金処理では、バラ紙幣出金処理の出金作動で係員側バラ紙幣入出部３２に繰り出していた紙幣の搬送先を整列部４１としている。
【０１１４】
束出金処理では、まず、金種別環流部としての紙幣庫４５〜４７の指定のものから紙幣を繰り出し係員側識別部４０で識別して、正常と識別されなかった紙幣を、図１２に太実線から太破線で示すように機内リジェクト部３５に収納しつつ、正常と識別された紙幣を図１２に太実線および太鎖線で示すように適宜表裏反転部５３を通過させて整列部４１へ繰り出して、整列部４１に指定された所定の金種および枚数の出金紙幣を繰り出す出金作動と、出金紙幣を結束し出金する結束作動とを行う。
【０１１５】
具体的に、出金作動では、紙幣庫４５〜４７の指定された金種のものに収納されている紙幣を上端のものから繰出部４５ｂ〜４７ｂの対応するものが一枚ずつ分離し所定の間隔をあけて繰り出すことになり、繰り出した紙幣を、図１２に太実線で示すように、搬送路５１Ｂ〜５１Ｄの対応するものと搬送路５１Ａとで係員側識別部４０に搬送する。そして、係員側識別部４０の識別結果に基づいて、正常と識別された紙幣を、表裏反転が必要ないものは、図１２に太実線で示すように振分部５５Ｊ，５５Ｋが搬送路５１Ａ，５１Ｋで整列部４１に搬送する。他方、表裏反転が必要なものは、図１２に太鎖線で示すように振分部５５Ｊが搬送路５１Ｊに流し表裏反転部５３で表裏反転させた後、振分部５５Ｋが搬送路５１Ｋで整列部４１に搬送する。これにより、指定された単一金種の紙幣を結束単位枚数だけ整列部４１に繰り出す。そして、結束作動によって、整列部４１の集積紙幣を、移送部４２で結束部４３に搬送し、結束部４３で結束を行い、小束紙幣出金部３３に繰り出す。このような処理を指定された金種毎に指定された束数分行うことになる。指定された金種および束数の小束紙幣を小束紙幣出金部３３に繰り出すと、制御部１００は、シャッタ３３ａを開く。そして、図示略の小束紙幣有無検知センサで小束紙幣出金部３３から小束紙幣がすべて取り出されたことを検知すると、制御部１００は、シャッタ３３ａを閉じる。
【０１１６】
また、出金作動では、上記の係員側識別部４０による識別で、正常と識別されなかった紙幣を、図１２に太実線から太破線で示すように、振分部５５Ｍ，５５Ｎが搬送路５１Ｍ，５１Ｈ，５１Ｎに流して、機内リジェクト部３５に収納する。出金作動開始後、指定された所定の金種および枚数の出金紙幣を整列部４１に繰り出したことが確認されると、出金作動を終了する。
【０１１７】
紙幣処理機１０は、上記以外にも、係員側操作部３０へ入力された自己精査処理操作に基づいて、紙幣庫４５〜４８の対応するものに収納している紙幣を、搬送路５１Ｂ〜５１Ｅの対応するものと、搬送路５１Ａ，５１Ｆを介して一旦紙幣庫４９に貯留させて、紙幣庫４５〜４８の対応するものを空にした後、搬送路５１Ａ，５１Ｆで係員側識別部４０に搬送し、係員側識別部４０で識別して搬送路５１Ａから、振分部５５Ｂ〜５５Ｅおよび搬送路５１Ｂ〜５１Ｅの対応するもので紙幣庫４５〜４８の元のものに戻す自己精査処理を行うようになっている。また、紙幣処理機１０は、機外から係員側バラ紙幣入出部３２に投入されたバラ紙幣を、上記した係員側入金処理と同様のルートで搬送し、係員側識別部４０の識別結果から、設定金種のみ紙幣庫４９に搬送し、その後、紙幣庫４９から紙幣を、係員側識別部４０で識別計数しつつ、適宜表裏反転部５３で表裏反転させた後、整列部４１、移送部４２および結束部４３で結束して、小束紙幣出金部３３に繰り出すローカル整理処理を行うようになっている。
【０１１８】
以上に述べた第１実施形態の紙幣処理機１０によれば、顧客側操作部２０への入金処理操作に基づく顧客側入金処理の実行によって顧客側入金部２２から繰り出される紙幣を紙幣搬送路９１で搬送すると、顧客側識別部８０が紙幣を識別し、その結果、受け入れ可能と識別された紙幣を紙幣庫８１が一時貯留させる。この状態で、入金確定操作およびキャンセル操作のいずれも忘れられてしまうと、これらのいずれの操作もされない状態のまま、制御部１００が顧客側操作部２０の所定の未操作状態有りを検出する。すると、制御部１００は、紙幣庫８１から紙幣を繰り出して紙幣庫８２に入金未確定紙幣として一時貯留させる入金未確定貯留処理を行う。このように、紙幣庫８１から紙幣を紙幣庫８２に移し替えて一時貯留させることができるため、紙幣庫８１を空にでき、よって、係員の操作を伴うことなく、次の顧客側入金処理が可能になる。したがって、顧客側入金処理後の確定操作やキャンセル操作が例え忘れられたとしても、その後の顧客側入金処理が可能となる。よって、利用効率の低下を抑制することができる。また、確定操作やキャンセル操作が忘れられた紙幣を紙幣処理機１０内に取り込んで一時貯留しておくことができるため、操作を忘れた顧客へ返却するまで紙幣を係員が保管する手間がなくなり、安全に保管しておくことができる。
【０１１９】
また、制御部１００は、入金未確定貯留処理において、顧客側リジェクト部２３からも紙幣を繰り出して紙幣庫８２に入金未確定紙幣として一時貯留させることになる。よって、顧客側入金処理において受け入れ不可と識別された紙幣が顧客側リジェクト部２３にあっても、これを紙幣庫８２に移し替えて一時貯留させることができるため、次の顧客側入金処理が可能になる。したがって、顧客側入金処理後の確定操作やキャンセル操作が例え忘れられたとしても、その後の入金処理が可能となるケースをより増やすことができる。つまり、顧客側リジェクト部２３に紙幣がある場合、そのままでは取り扱い中止の状態にせざるを得ないが、このような場合において、顧客側リジェクト部２３の紙幣を紙幣庫８２に移し替えて一時貯留させることにより、その後の入金処理が可能となる。
【０１２０】
また、顧客側操作部２０に入金未確定紙幣の返却処理操作が入力されると、制御部１００が、入金未確定返却処理を実行して、紙幣庫８２に一時貯留させている入金未確定紙幣を繰り出して顧客側リジェクト部２３へ搬送するため、紙幣庫８２に一時貯留させている入金未確定紙幣を直接操作者へ返却することができる。よって、係員の対応を不要にでき、係員の対応の手間を省くことができる。
【０１２１】
また、紙幣庫８２から顧客側リジェクト部２３へ入金未確定紙幣を搬送する際に顧客側識別部８０での入金未確定紙幣の金種識別を行わないことにより、省電力化が図れる。
【０１２２】
また、紙幣庫８２は、複数回の入金処理の入金未確定紙幣を入金処理毎に分類して一時貯留可能となっており、制御部１００は、顧客側操作部２０に入金処理関連の識別情報と入金未確定紙幣の返却処理操作とが入力されると、紙幣庫８２からこの識別情報の入金未確定紙幣よりも前に繰り出される他の識別情報の入金未確定紙幣を紙幣庫８１に貯留させるとともに、この識別情報の入金未確定紙幣を顧客側リジェクト部２３へ搬送する。よって、複数回の入金処理において確定操作やキャンセル操作が例え忘れられたとしても、その後の顧客側入金処理が可能となる。
【０１２３】
また、顧客側操作部２０に入金未確定紙幣の返却処理操作が入力され、入金未確定返却処理を実行して紙幣庫８２に一時貯留させている入金未確定紙幣を繰り出して顧客側リジェクト部２３へ搬送した後に、この顧客側リジェクト部２３から紙幣が取り出されずに、所定の未操作状態有りを検出すると、制御部１００は、この顧客側リジェクト部２３から紙幣を繰り出して紙幣庫８２に戻すことになる。よって、入金未確定紙幣の取り忘れが生じた場合でもこの紙幣を紙幣庫８２に貯留させることになって、その後の入金処理が可能となる。
【０１２４】
また、顧客側操作部２０に入金未確定紙幣の再入金処理操作が入力されると、制御部１００は、紙幣庫８２に一時貯留させている入金未確定紙幣を繰り出し顧客側識別部８０で識別して、受け入れ可能と識別された紙幣を紙幣庫８１に、受け入れ不可と識別された紙幣を顧客側リジェクト部２３に搬送することができる。その後、顧客側操作部２０への入金確定操作に基づいて紙幣庫８１から紙幣を紙幣庫４５〜４８に収納したり、顧客側操作部２０へのキャンセル操作に基づいて紙幣庫８１から紙幣を顧客側リジェクト部２３に排出したりできる。よって、再入金処理後の確定処理およびキャンセル処理が可能となる。
【０１２５】
また、紙幣庫８２が、テープ巻取ドラム方式であるため、紙幣に斜行や重送があっても良好に一時貯留させることができ、また繰り出すことができる。また、紙幣間に間隔を形成することが容易にできるため、特に、複数回の入金処理の入金未確定紙幣を入金処理毎に分類して一時貯留させることが、紙幣庫８２を複数設けなくてもできる。よって、低コスト化、省スペース化が図れる。
【０１２６】
また、係員により使用される係員側装置部１１ｘと顧客により使用される顧客側装置部１１ｙとが一台に設けられたものにおいて、特に操作忘れを生じ易い顧客側の顧客側装置部１１ｙに効果的に上記構成を適用することができる。加えて、紙幣庫４５〜４８が、顧客側装置部１１ｙと係員側装置部１１ｘとで共用であるため、コストを低減することができる。
【０１２７】
また、顧客側操作部２０へのキャンセル操作に基づいて紙幣庫８１から繰り出される紙幣を機外へ取り出し可能に返却する返却部を、顧客側識別部８０によって受け入れ不可と識別された紙幣を機外へ取り出し可能に排出する顧客側リジェクト部２３が兼ねているため、製造コストを低減することができる。
【０１２８】
次に、本発明の第２実施形態に係る紙幣処理機を図１３〜図１５を参照して第１実施形態との相違部分を中心に以下に説明する。
【０１２９】
第１実施形態においては、顧客側リジェクト部２３が、顧客側識別部８０によって受け入れ不可と識別された紙幣を機外へ取り出し可能に排出するリジェクト部と、顧客側操作部２０へのキャンセル操作に基づいて紙幣庫８１から繰り出される紙幣を機外へ取り出し可能に返却する返却部とを兼ねている。これに対して、第２実施形態では、顧客側入金部２２が、機外から紙幣が投入される入金部と、顧客側操作部２０へのキャンセル操作に基づいて紙幣庫８１から繰り出される紙幣を機外へ取り出し可能に返却する返却部とを兼ねている。これにより、上記した顧客側入金返却処理が以下の第２の顧客側入金返却処理に、上記した入金未確定返却処理が以下の第２の入金未確定返却処理に、それぞれ変更されている。
【０１３０】
「第２の顧客側入金返却処理」
図１３の太線は、顧客側入金処理にて紙幣庫８１に一時貯留させた紙幣を、顧客側操作部２０へのキャンセル操作が入力されたことを条件に、顧客側入金部２２に繰り出す第２の顧客側入金返却処理のルートを示している。つまり、第２の顧客側入金返却処理では、紙幣庫８１の紙幣を上端のものから繰出部８１ｂが繰り出すことになり、繰り出した紙幣を、振分部９５Ｃｂ，９５Ｃａ，９５Ｆによって搬送路９１Ａでそのまま流して顧客側入金部２２に搬送する。これにより、顧客側入金部２２に紙幣を返却する。第２の顧客側入金返却処理開始後、図示略の紙幣有無検知センサが紙幣庫８１に紙幣がなくなったことを検知し、且つ図示略の搬送路センサが紙幣搬送路９１に紙幣がなくなったことを検知すると、制御部１００は、シャッタ２２ｂを開く。これにより、顧客側入金部２２から紙幣が取り出される。図示略の紙幣有無検知センサが顧客側入金部２２から紙幣が取り出されたことを検知すると、制御部１００はシャッタ２２ｂを閉じて、第２の顧客側入金返却処理を終了する。
【０１３１】
「第２の入金未確定返却処理」
図１４の太線は、第２の入金未確定返却処理のルートを示している。つまり、第２の入金未確定貯留処理では、紙幣庫８２の紙幣を搬送路９１Ｂに繰り出すことになり、図１４の太実線から太破線で示すように、紙幣庫８２から先に繰り出される他の識別番号に対応する入金未確定紙幣を、第１実施形態と同様、搬送路９１Ａから振分部９５Ｃａによって搬送路９１Ｃに流し、再び搬送路９１Ａに流して、紙幣庫８１に搬送する。他方、図１４の太実線で示すように、今回読み込んだ識別番号に対応する入金未確定紙幣を、振分部９５Ｃａ，９５Ｆによって搬送路９１Ａで搬送し、顧客側入金部２２に搬送する。これにより、今回読み込んだ識別番号に対応する入金未確定紙幣を、顧客側入金部２２に返却する。なお、このように紙幣庫８２から顧客側入金部２２へ入金未確定紙幣を搬送する際にも、これら紙幣は顧客側識別部８０を通ることになるが、このとき、顧客側識別部８０での金種識別は行わない。
【０１３２】
入金未確定返却処理開始後、図示略の搬送路センサが紙幣搬送路９１に紙幣がなくなったことを検知すると、制御部１００は、顧客側入金部２２のシャッタ２２ｂを開くとともに、紙幣庫８１に移動した紙幣がある場合には、これら紙幣を図１４の太破線から太実線で示す上記とは逆の搬送路９１Ａ，９１Ｃ，９１Ａ，９１Ｂを通るルートで紙幣庫８２に戻す。シャッタ２２ｂが開かれると、顧客は、顧客側入金部２２から紙幣を取り出すことになる。顧客側入金部２２から紙幣が取り出されたことを図示略の紙幣有無検知センサが検知すると、制御部１００は、シャッタ２２ｂを閉じる。これと合わせて、紙幣庫８１の紙幣を紙幣庫８２に戻し終えると、制御部１００は、入金未確定返却処理を終了する。
【０１３３】
他方、制御部１００は、入金未確定返却処理を終了後、顧客側入金部２２から紙幣が取り出されずに上記した未操作状態有りを検出すると、シャッタ２２ｂを閉じるとともに、図１４に太実線で示す上記とは逆の搬送路９１Ａ，９１Ｂを通るルートで、顧客側入金部２２から紙幣を繰り出して紙幣庫８２に戻す。
【０１３４】
このような第２実施形態によれば、顧客側操作部２０に入金未確定紙幣の返却処理操作が入力されると、制御部１００が、第２の入金未確定返却処理を行って、紙幣庫８２に一時貯留させている入金未確定紙幣を繰り出して顧客側入金部２２へ搬送するため、紙幣庫８２に一時貯留させている入金未確定紙幣を直接操作者へ返却することができる。よって、係員の対応を不要にでき、係員の対応の手間を省くことができる。
【０１３５】
また、紙幣庫８２から顧客側入金部２２へ入金未確定紙幣を搬送する際に顧客側識別部８０での入金未確定紙幣の金種識別を行わないことにより、省電力化が図れる。
【０１３６】
また、制御部１００は、顧客側操作部２０に入金処理関連の識別情報と入金未確定紙幣の返却処理操作とが入力されると、第２の入金未確定返却処理を行うことになり、その際に、紙幣庫８２からこの識別情報の入金未確定紙幣よりも前に繰り出される他の識別情報の入金未確定紙幣を紙幣庫８１に貯留させるとともに、この識別情報の入金未確定紙幣を顧客側入金部２２へ搬送する。よって、複数回の入金処理において確定操作やキャンセル操作が例え忘れられたとしても、その後の入金処理が可能となる。
【０１３７】
また、顧客側操作部２０に入金未確定紙幣の返却処理操作が入力され、第２の入金未確定返却処理を実行して紙幣庫８２に一時貯留させている入金未確定紙幣を繰り出して顧客側入金部２２へ搬送した後に、この顧客側入金部２２から紙幣が取り出されずに、所定の未操作状態有りを検出すると、制御部１００は、この顧客側入金部２２から紙幣を繰り出して紙幣庫８２に戻すことになる。よって、入金未確定紙幣の取り忘れが生じた場合でもこの紙幣を紙幣庫８２に貯留させることになって、その後の入金処理が可能となる。
【０１３８】
上記した第１，第２実施形態においては、顧客側リジェクト部２３が紙幣を機内に繰り出し可能な場合を例にとり説明したが、繰り出し不可な構成を採用しても良い。この場合、顧客側入金処理において、顧客側リジェクト部２３に払い出される受け付け不可な紙幣がない場合に限り、上記した入金未確定貯留処理を行わせることになる。
【０１３９】
また、上記した第１実施形態における入金未確定返却処理では、入金未確定紙幣を顧客側リジェクト部２３に返却し、第２実施形態における第２の入金未確定返却処理では、入金未確定紙幣を顧客側入金部２２に返却する場合を例にとり説明したが、入金未確定紙幣を紙幣庫８１に繰り出して、紙幣庫８１のロックを解除して、係員により、紙幣庫８１を紙幣処理機１０から取り出させ、紙幣庫８１から入金未確定紙幣を取り出させるようにしても良い。この場合、紙幣庫８２から先に繰り出される他の入金処理の入金未確定紙幣を、顧客側入金部２２あるいは顧客側リジェクト部２３に一時退避させることになる。これにより、顧客側操作部２０に入金未確定紙幣の返却処理操作が入力されると、制御部１００は、紙幣庫８２に一時貯留させている入金未確定紙幣を繰り出して紙幣庫８１へ搬送し、紙幣庫８１を取り外し可能とすることになるため、係員が顧客の前で紙幣処理機１０から紙幣庫８２を取り出し、紙幣庫８２から紙幣を取り出して顧客に返すこと等が可能となる。
【０１４０】
なお、ガイド部９５Ｚに換えて、搬送路５１Ａで紙幣庫４５〜４９側から搬送される紙幣を係員側識別部４０側に流すルートと、顧客側識別部８０側に流すルートとに振り分ける振分部を設けることで、紙幣庫４５〜４７の紙幣を顧客側入金部２２に出金することも可能である。この場合は、顧客側識別部８０で出金リジェクト紙幣と識別された紙幣を一旦紙幣庫８１に貯留し、その後、機内リジェクト部３５に収納することになる。
【符号の説明】
【０１４１】
１０  紙幣処理機
１１ｘ  係員側装置部
１１ｙ  顧客側装置部
２０  顧客側操作部（操作部）
２２  顧客側入金部（入金部）
２３  顧客側リジェクト部（リジェクト部，返却部）
４５〜４８  紙幣庫（収納部）
８０  顧客側識別部（識別部）
８１  紙幣庫（第１の一時貯留部）
８２  紙幣庫（第２の一時貯留部）
８２ａ  テープ
８２ｂ  紙幣集積ドラム
９１  紙幣搬送路（入金搬送部）
１００  制御部（未操作状態検出手段）
【図１】
2015153171.tif 000003
【図２】
2015153171.tif 000004
【図３】
2015153171.tif 000005
【図４】
2015153171.tif 000006
【図５】
2015153171.tif 000007
【図６】
2015153171.tif 000008
【図７】
2015153171.tif 000009
【図８】
2015153171.tif 000010
【図９】
2015153171.tif 000011
【図１０】
2015153171.tif 000012
【図１１】
2015153171.tif 000013
【図１２】
2015153171.tif 000014
【図１３】
2015153171.tif 000015
【図１４】
2015153171.tif 000016